(57)【特許請求の範囲】
【請求項１】
本編情報の前または後の区間に、前記本編情報以外の特定情報が連続して複数個挿入される状態が可とされている情報信号を記録媒体に記録し、前記記録媒体から前記情報信号の再生時に、前記特定情報の区間をスキップして再生する機能を備える記録再生装置において、
前記情報信号の記録時に、前記情報信号について特徴量を検出し、検出された前記特徴量を用いて、前記本編情報と前記特定情報との区切りを検出して、前記情報信号から前記特定情報の区間を検出する特定情報区間検出手段と、
前記特定情報区間検出手段で検出された前記特定情報の区間の存在位置情報を付加情報として、前記情報信号に対応付けて、前記記録媒体に記録する付加情報記録手段と、
前記記録媒体からの前記情報信号の再生時に、前記付加情報に基づいて、前記特定情報の区間を判定し、前記本編情報の前または後の区間には、少なくとも前記特定情報の区間の一つは残すようにして、前記特定情報の区間をスキップして再生するように制御する再生制御手段と
を備え、
前記特定情報区間検出手段は、
検出された前記特定情報の区間毎に、当該特定情報の区間の前記特徴量に基づいて前記特定情報の区間の識別子を付与する識別子付与手段と、
再生された前記特定情報の区間の識別子を、前記特定情報の再生履歴として保持する特定情報再生履歴保持手段と、
を備え、
前記再生制御手段は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする記録再生装置。
【請求項２】
請求項１に記載の記録再生装置において、
前記再生制御手段は、さらに、前記本編情報の前または後の区間に、前記特定情報の区間が連続して複数個含まれるときに、ランダムに選択した少なくとも１つの前記特定情報の区間は残して、他の特定情報の区間は、スキップして再生する制御も行う
ことを特徴とする記録再生装置。
【請求項３】
請求項１に記載の記録再生装置において、
前記特定情報再生履歴保持手段は、前記特定情報の再生履歴を、所定の期間毎にクリアする
ことを特徴とする記録再生装置。
【請求項４】
請求項１に記載の記録再生装置において、
前記特定情報再生履歴保持手段は、前記特定情報の再生履歴を、電源のオンまたはオフ毎にクリアする
ことを特徴とする記録再生装置。
【請求項５】
請求項１に記載の記録再生装置において、
前記情報信号は、放送番組の信号であって、
前記特定情報再生履歴保持手段は、前記特定情報の再生履歴を、前記放送番組の単位でクリアする
ことを特徴とする記録再生装置。
【請求項６】
請求項１に記載の記録再生装置において、
前記特定情報の区間の識別子は、検出された前記特定情報の区間の特徴量に対し所定の演算をおこなったものである
ことを特徴とする記録再生装置。
【請求項７】
請求項１に記載の記録再生装置において、
前記再生制御手段は、前記特定情報再生履歴保持手段に保持されている前記特定情報の再生履歴に基づき前記他の特定情報の区間をスキップする再生に代えて、
前記情報信号の再生が指示された時に、再生に先立ち、前記付加情報を読み出し、前記本編情報の前または後の区間に、前記特定情報の区間が連続して複数個含まれるときに、全ての種類の前記特定情報の区間が少なくとも１回は再生されるようにし、かつ、少なくとも１つの前記特定情報の区間は残すようにして、他の特定情報の区間は、スキップして再生するように制御する
ことを特徴とする記録再生装置。
【請求項８】
請求項１に記載の記録再生装置において、
前記情報信号に、前記特定情報の区間の存在位置情報と、前記特定情報の区間のそれぞれに対して、当該特定情報の区間をスキップしてよいか否かを示すスキップ可否情報とが含まれている場合には、
前記特定情報区間検出手段は、前記特定情報の区間の存在位置情報を用いて、前記特定情報の区間のそれぞれを検出すると共に、前記スキップ可否情報を前記情報信号から抽出し、
前記再生制御手段は、前記本編情報の前または後の区間に、前記特定情報の区間が連続して複数個含まれるときに、前記抽出された前記スキップ可否情報に基づいて、少なくとも１つの前記特定情報の区間は残して、他の特定情報の区間は、スキップして再生するように制御する
ことを特徴とする記録再生装置。
【請求項９】
本編情報の前または後の区間に、前記本編情報以外の特定情報が連続して複数個挿入される状態が可とされている情報信号と、前記特定情報の区間の存在位置情報と共に、前記特定情報の区間毎に、当該特定情報の特徴量に基づいて付与された前記特定情報の区間の識別子を含む付加情報とが記録されている記録媒体から、前記情報信号を、前記特定情報の区間をスキップして再生する機能を備える再生装置において、
前記付加情報に基づいて、前記特定情報の区間を判定し、前記本編情報の前または後の区間には、少なくとも前記特定情報の区間の一つは残すようにして、前記特定情報の区間をスキップして再生するように制御する再生制御手段と、
再生された前記特定情報の区間の識別子を、前記特定情報の再生履歴として保持する特定情報再生履歴保持手段と
を備え、
前記再生制御手段は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする再生装置。
【請求項１０】
請求項９に記載の再生装置において、
前記再生制御手段は、さらに、前記本編情報の前または後の区間に、前記特定情報の区間が連続して複数個含まれるときに、ランダムに選択した少なくとも１つの前記特定情報の区間は残して、他の特定情報の区間は、スキップして再生する制御も行う
ことを特徴とする再生装置。
【請求項１１】
請求項９に記載の再生装置において、
前記再生制御手段は、前記特定情報再生履歴保持手段に保持されている前記特定情報の再生履歴に基づき前記他の特定情報の区間をスキップする再生に代えて、
前記情報信号の再生が指示された時に、再生に先立ち、前記付加情報を読み出し、前記本編情報の前または後の区間に、前記特定情報の区間が連続して複数個含まれるときに、全ての種類の前記特定情報の区間が少なくとも１回は再生されるようにし、かつ、少なくとも１つの前記特定情報の区間は残すようにして、他の特定情報の区間は、スキップして再生するように制御する
ことを特徴とする再生装置。
【請求項１２】
請求項９に記載の再生装置において、
前記特定情報の区間の識別子は、検出された前記特定情報の区間の特徴量に対し所定の演算をおこなったものである
ことを特徴とする再生装置。
【請求項１３】
請求項９に記載の再生装置において、
前記記録媒体の前記付加情報に、前記特定情報の区間の存在位置情報と共に、前記特定情報の区間毎に、当該特定情報の区間をスキップしてよいか否かを示すスキップ可否情報が含まれている場合には、
前記再生制御手段は、前記本編情報の前または後の区間に、前記特定情報の区間が連続して複数個含まれるときに、前記付加情報から抽出された前記スキップ可否情報に基づいて、少なくとも１つの前記特定情報の区間は残して、他の特定情報の区間は、スキップして再生するように制御する
ことを特徴とする再生装置。
【請求項１４】
本編情報の前または後の区間に、前記本編情報以外の特定情報が連続して複数個挿入される状態が可とされている情報信号を受信して、所定時間分、一時記憶部に一時記憶し、前記一時記憶した前記情報信号を、前記所定時間分よりも短い時間遅れて読み出して前記情報信号の再生を行なうときに、前記特定情報の区間をスキップして再生する機能を備える受信再生装置であって、
前記情報信号の一時記憶時に、前記情報信号から前記特定情報の区間を検出する特定情報区間検出手段と、
前記特定情報区間検出手段で検出された前記特定情報の区間の存在位置情報と共に、前記特定情報の区間毎に、当該特定情報の特徴量に基づいて付与された前記特定情報の区間の識別子を、前記情報信号に対応付けて、前記一時記憶部に記憶する特定情報区間記憶手段と、
前記一時記憶部からの前記情報信号の再生時に、前記特定情報の区間の存在位置情報に基づいて、前記特定情報の区間を判定し、前記本編情報の前または後の区間には、少なくとも前記特定情報の区間の一つは残すようにして、前記特定情報の区間をスキップして再生するように制御する再生制御手段と、
再生された前記特定情報の区間の識別子を、前記特定情報の再生履歴として保持する特定情報再生履歴保持手段と
を備え、
前記再生制御手段は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする受信再生装置。
【請求項１５】
請求項１４に記載の受信再生装置において、
前記再生制御手段は、さらに、前記本編情報の前または後の区間に、前記特定情報の区間が連続して複数個含まれるときに、ランダムに選択した少なくとも１つの前記特定情報の区間は残して、他の特定情報の区間は、スキップして再生する制御も行う
ことを特徴とする受信再生装置。
【請求項１６】
請求項１４に記載の受信再生装置において、
前記特定情報の区間の識別子は、検出された前記特定情報の区間の特徴量に対し所定の演算をおこなったものである
ことを特徴とする受信再生装置。
【請求項１７】
請求項１４に記載の受信再生装置において、
前記情報信号に、前記特定情報の区間の存在位置情報と、前記特定情報の区間のそれぞれに対して、当該特定情報の区間をスキップしてよいか否かを示すスキップ可否情報とが含まれている場合には、
前記一時記憶部には、前記情報信号から取得された前記特定情報の区間の存在位置情報と、前記特定情報の区間をスキップしてよいか否かを示すスキップ可否情報とが記憶されており、
前記再生制御手段は、前記本編情報の前または後の区間に、前記特定情報の区間が連続して複数個含まれるときに、前記スキップ可否情報に基づいて、少なくとも１つの前記特定情報の区間は残して、他の特定情報の区間は、スキップして再生するように制御する
ことを特徴とする受信再生装置。
【請求項１８】
本編情報の前または後の区間に、前記本編情報以外の特定情報が連続して複数個挿入される状態が可とされている情報信号を記録媒体に記録し、前記記録媒体から前記情報信号の再生時に、前記特定情報の区間をスキップして再生することを可とする記録再生方法において、
前記情報信号の記録時に、前記情報信号について特徴量を検出し、検出された前記特徴量を用いて、前記本編情報と前記特定情報との区切りを検出して、前記情報信号から前記特定情報の区間を検出する特定情報区間検出工程と、
前記特定情報区間検出工程で検出された前記特定情報の区間の存在位置情報を付加情報として、前記情報信号に対応付けて、前記記録媒体に記録する付加情報記録工程と、
前記記録媒体からの前記情報信号の再生時に、前記付加情報に基づいて、前記特定情報の区間を判定し、前記本編情報の前または後の区間には、少なくとも前記特定情報の区間の一つは残すようにして、前記特定情報の区間をスキップして再生するように制御する再生制御工程と
を備え、
前記特定情報区間検出工程は、
検出された前記特定情報の区間毎に、当該特定情報の区間の前記特徴量に基づいて前記特定情報の区間の識別子を付与する識別子付与工程と、
再生された前記特定情報の区間の識別子を、前記特定情報の再生履歴として保持する特定情報再生履歴保持工程と、
を備え、
前記再生制御工程は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする記録再生方法。
【請求項１９】
本編情報の前または後の区間に、前記本編情報以外の特定情報が連続して複数個挿入される状態が可とされている情報信号と、前記特定情報の区間の存在位置情報と共に、前記特定情報の区間毎に、当該特定情報の特徴量に基づいて付与された前記特定情報の区間の識別子を含む付加情報とが記録されている記録媒体から、前記情報信号を、前記特定情報の区間をスキップして再生することを可とする再生方法において、
前記付加情報に基づいて、前記特定情報の区間を判定し、前記本編情報の前または後の区間には、少なくとも前記特定情報の区間の一つは残すようにして、前記特定情報の区間をスキップして再生するように制御する再生制御工程と、
再生された前記特定情報の区間の識別子を、前記特定情報の再生履歴として保持する特定情報再生履歴保持工程と
を備え、
前記再生制御工程は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする再生方法。
【請求項２０】
本編情報の前または後の区間に、前記本編情報以外の特定情報が連続して複数個挿入される状態が可とされている情報信号を受信して、所定時間分、一時記憶部に一時記憶し、前記一時記憶した前記情報信号を、前記所定時間分よりも短い時間遅れて読み出して前記情報信号の再生を行なうときに、前記特定情報の区間をスキップして再生することを可とする受信再生方法において、
前記情報信号の一時記憶時に、前記情報信号から前記特定情報の区間を検出する特定情報区間検出工程と、
前記特定情報区間検出工程で検出された前記特定情報の区間の存在位置情報と共に、前記特定情報の区間毎に、当該特定情報の特徴量に基づいて付与された前記特定情報の区間の識別子を、前記情報信号に対応付けて、前記一時記憶部に記憶する特定情報区間記憶工程と、
前記一時記憶部からの前記情報信号の再生時に、前記特定情報の区間の存在位置情報に基づいて、前記特定情報の区間を判定し、前記本編情報の前または後の区間には、少なくとも前記特定情報の区間の一つは残すようにして、前記特定情報の区間をスキップして再生するように制御する再生制御工程と、
再生された前記特定情報の区間の識別子を、前記特定情報の再生履歴として保持する特定情報再生履歴保持工程と
を備え、
前記再生制御工程は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする受信再生方法。
【発明の詳細な説明】
【技術分野】
【０００１】
この発明は、例えばテレビ放送番組等のように、番組本編情報と番組本編情報の間の区間や番組本編情報の前または後に、番組宣伝やコマーシャルメッセージ（以下、ＣＭと略称する）情報などのような本編情報以外の特定情報の区間が、連続して複数個挿入されるのが可とされている情報信号を記録し、再生する記録再生装置および記録再生方法に関する。また、上述のような情報信号の再生装置および再生方法に関する。
【背景技術】
【０００２】
例えばテレビ放送番組などをハードディスクやＤＶＤ（Ｄｉｇｉｔａｌ  Ｖｅｒｓａｔｉｌｅ  Ｄｉｓｃ）などの記録媒体に記録し、当該記録したテレビ放送番組を再生する記録再生装置が普及している。
【０００３】
テレビ放送などの放送メディアなどにおいては、通常は、放送番組の本編情報と本編情報との間や番組本編情報の前または後に、１または複数個のＣＭや番組宣伝などの番組の本編情報以外の特定情報の区間が挿入されている。本編情報と本編情報との間にも前記特定情報の区間が挿入されるが、本編情報と本編情報との間は、後の本編情報からみれば、本編情報の前である。
【０００４】
上述のような記録再生装置においては、記録したテレビ放送番組などを再生して視聴する場合において、ＣＭ区間や番組宣伝区間などの視聴したくない場面になると、ユーザは、リモートコマンダなどを用いて早送り再生操作をして高速再生することが多々ある。
【０００５】
また、例えば特許文献１（特開２００５−２２３５６６公報）には、再生中に所定のボタンを押下操作すると、現在再生位置から所定時間例えば１５秒後または前のシーンにジャンプ（スキップ）する機能を備えている記録再生装置が記載されている。このようなボタンを備えた記録再生装置の場合には、ユーザは、自分が視聴したくない場面になったときは、当該ボタンを操作することにより、所定時間だけ後の場面にスキップして再生することができる。
【０００６】
さらに、最近は、テレビ放送番組を録画する場合において、上述のようなユーザ操作を省略して、放送番組の本編情報以外の特定情報としてのＣＭ区間を自動的にカットして、番組本編情報のみを録画できるようにする機能のソフトウエアも市販されている（非特許文献１）。
【０００７】
上記の先行技術文献は、次の通りである。
【特許文献１】特開２００５−２２３５６６公報
【非特許文献１】「自動ＣＭカット機能付ＴＶキャプチャカードが発売に」、［online］、［２００５年８月１８日検索］、インターネット＜http://www.watch.impress.co.jp/akiba/hotline/20040228/etc_transgear.html＞
【発明の開示】
【発明が解決しようとする課題】
【０００８】
ところが、非特許文献１に記載のソフトウエアを用いた場合、番組本編以外のＣＭ区間の全てが削除されてしまうので、ＣＭを提供する側にとっては不利益であり、また、放送番組が、ＣＭ区間の挿入を演出として利用している場合には、番組コンテンツの魅力が損なわれてしまうという問題があった。
【０００９】
例えば、クイズ番組で回答をＣＭ区間の後で放送するなど、盛り上がり始めたところでＣＭ区間を挿入することで、視聴者の気持ちを引っ張る演出をしたり、いわゆるわくわく感を与えるような演出をしたりしている場合には、ＣＭ区間を全てカットして、番組本編同士をつなげてしまうと、演出効果が得られず、魅力が乏しい番組となってしまう。
【００１０】
また、放送番組の中には、ＣＭ区間の挿入後に、時間軸を数秒程度前に遡って同じ場面を再度、いわゆるかぶって放送するように演出する場合（ロールバック）があるが、上述した非特許文献１の機能を用いて、ＣＭ区間を全てカットしてしまうと、当該ロールバックの部分では、単に同じ場面が数秒程度連続したものとなってしまうという問題がある。
【００１１】
この発明は、以上の点にかんがみ、ＣＭを提供する側にとっての不利益を軽減すると共に、放送番組が、ＣＭ区間の挿入を演出として利用している場合の番組コンテンツの魅力が損なわれてしまうことがないようすることを目的とする。
【課題を解決するための手段】
【００１２】
上記の課題を解決するために、請求項１に係る発明は、
本編情報の前または後の区間に、前記本編情報以外の特定情報が連続して複数個挿入される状態が可とされている情報信号を記録媒体に記録し、前記記録媒体から前記情報信号の再生時に、前記特定情報の区間をスキップして再生する機能を備える記録再生装置において、
前記情報信号の記録時に、前記情報信号について特徴量を検出し、検出された前記特徴量を用いて、前記本編情報と前記特定情報との区切りを検出して、前記情報信号から前記特定情報の区間を検出する特定情報区間検出手段と、
前記特定情報区間検出手段で検出された前記特定情報の区間の存在位置情報を付加情報として、前記情報信号に対応付けて、前記記録媒体に記録する付加情報記録手段と、
前記記録媒体からの前記情報信号の再生時に、前記付加情報に基づいて、前記特定情報の区間を判定し、前記本編情報の前または後の区間には、少なくとも前記特定情報の区間の一つは残すようにして、前記特定情報の区間をスキップして再生するように制御する再生制御手段と
を備え、
前記特定情報区間検出手段は、
検出された前記特定情報の区間毎に、当該特定情報の区間の前記特徴量に基づいて前記特定情報の区間の識別子を付与する識別子付与手段と、
再生された前記特定情報の区間の識別子を、前記特定情報の再生履歴として保持する特定情報再生履歴保持手段と、
を備え、
前記再生制御手段は、前記本編情報の前または後の区間に、前記特定情報の区間が連続して複数個含まれるときに、前記特定情報再生履歴保持手段に保持されている前記特定情報の再生履歴を参照して、再生履歴に含まれていない、少なくとも１つの前記特定情報の区間は残して、他の特定情報の区間は、スキップして再生するように制御する
ことを特徴とする記録再生装置を提供する。
【００１３】
例えば放送番組においては、通常、番組本編情報の前や後には、連続して複数個のＣＭ区間等の特定情報の区間が挿入されることが多い。
【００１４】
この請求項１に係る発明においては、これらの複数個の特定情報の区間の全てをスキップしてしまうのではなく、少なくとも一つの特定情報の区間は、本編情報と本編情報との間や本編情報の前または後に残して、それらの特定情報の区間のスキップを行なう。
【００１５】
したがって、全ての特定情報の区間がスキップされてしまう場合に比べて、ＣＭなどの特定情報を提供する側にとっての不利益を軽減することができると共に、特定情報の区間の挿入を演出として利用している場合の情報コンテンツの魅力が損なわれてしまうことがないようすることができる。
また、請求項１に係る発明においては、既に再生されてユーザに提示された特定情報以外の特定情報が、本編情報と本編情報との間や本編情報の前または後に残す特定情報とされる。したがって、ＣＭなどの特定情報を提供する側にとっての不利益を最小限に留めることができる。
【００１６】
請求項２に係る発明は、請求項１に記載の記録再生装置において、
前記再生制御手段は、前記本編情報の前または後の区間に、前記特定情報の区間が連続して複数個含まれるときに、ランダムに選択した少なくとも１つの前記特定情報の区間は残して、他の特定情報の区間は、スキップして再生するように制御する
ことを特徴とする。
【００１７】
この請求項２に係る発明においては、本編情報と本編情報との間や本編情報の前または後に残す特定情報の区間をランダムに選択するようにするので、異なる特定情報が本編情報と本編情報との間や本編情報の前または後に残るようになることが期待できる。
【００１８】
請求項７に係る発明は、請求項１に記載の記録再生装置において、
前記再生制御手段は、前記特定情報再生履歴保持手段に保持されている前記特定情報の再生履歴に基づき前記他の特定情報の区間をスキップする再生に代えて、
前記情報信号の再生が指示された時に、再生に先立ち、前記付加情報を読み出し、前記本編情報の前または後の区間に、前記特定情報の区間が連続して複数個含まれるときに、全ての種類の前記特定情報の区間が少なくとも１回は再生されるようにし、かつ、少なくとも１つの前記特定情報の区間は残すようにして、他の特定情報の区間は、スキップして再生するように制御する
ことを特徴とする。
【００１９】
この請求項７に係る発明においては、再生対象の放送番組で放送予定のＣＭや番組宣伝の全てが、少なくとも１回は、ノーマル速度再生されるので、放送側の意図は、最小限反映される。
【発明の効果】
【００２０】
この発明によれば、ＣＭなどの特定情報を提供する側にとっての不利益を軽減すると共に、特定情報の区間の挿入を演出として利用している場合の情報コンテンツの魅力が損なわれてしまうことがないようにすることができる。
【発明を実施するための最良の形態】
【００２１】
［第１の実施形態］
この発明の第１の実施形態は、この発明を、テレビ放送信号を受信して記録再生する装置に適用した場合である。以下に説明する実施形態においては、再生対象あるいは記録再生の対象の情報信号は、例えば受信したテレビ放送番組の映像信号および音声信号や、記録媒体に記録された映像信号および音声信号とされている。なお、再生装置および再生方法の第１の実施形態は、この第１の実施形態の記録再生装置における再生系および再生時の処理に具現化されている。
【００２２】
そして、第１の実施形態は、受信したテレビ放送番組の本編情報と、ＣＭや番組宣伝などからなる特定情報とからなる情報信号としての映像信号および音声信号を、内蔵するハードディスク装置などからなる内部記録媒体や、ＤＶＤなどのリムーバルな外部記録媒体に記録し、また、これらの内蔵記録媒体や外部記録媒体に記録された情報信号を読み出して再生する機能を備える記録再生装置に、この発明を適用した場合の例である。
【００２３】
この例の記録再生装置は、テレビ放送番組の映像信号および音声信号を内蔵記録媒体または外部記録媒体に記録し、また、これらの記録媒体に記録されている映像信号および音声信号を再生する機能を備えるだけでなく、記録するテレビ放送番組の映像信号および音声信号または再生した映像信号および音声信号の特徴量を検出し、その検出出力から、ＣＭや番組宣伝などの特定情報の区間（以下、特定情報の区間を特定シーン区間という）を検出する機能を備える。
【００２４】
この場合、この実施形態では、特定シーン区間の検出は、特定シーン区間の開始点や終了点あるいは放送番組の開始点や終了点の位置情報の検出である。そして、この実施形態では、複数個のＣＭ区間などの特定シーン区間が連続するとき、それぞれの特定シーン区間の開始点、終了点も検出されるようにされている。
【００２５】
この実施形態では、これらの位置情報としては、例えば、記録する放送番組の情報信号の映像信号の先頭からのフレーム（またはフィールド）番号が用いられる。
【００２６】
また、この第１の実施形態では、その検出した特定シーン区間のそれぞれに含まれる特定情報の内容に応じた識別子（以下、特定特定シーン区間識別子という）を生成付与し、検出した特定シーン区間の、記録する情報信号中の位置情報と、対応する特定特定シーン区間識別子の情報とを、テレビ放送番組の情報信号についての付加情報ファイルとして記録媒体の所定記録領域に記録する機能を備える。
【００２７】
［第１の実施形態の記録再生装置のハードウエア構成例］
図１は、第１の実施形態の記録再生装置のハードウエア構成例を示すブロックである。図１において、システムコントローラ部２０は、マイクロコンピュータを備えて構成されるもので、この例の記録再生装置における各種モードの制御およびその他の動作制御を行なう。
【００２８】
このシステムコントローラ部２０には、例えばリモートコマンダ２２を用いた、あるいは、記録再生装置の操作ボタンを通じた、ユーザの操作入力に応じて操作入力情報が、ユーザ入力インターフェース部２１を通じて供給される。システムコントローラ部２０は、入力された操作入力情報を判別し、当該操作入力情報に応じた処理を実行する。
【００２９】
システムコントローラ部２０には、表示処理部２３を通じて、例えばＬＣＤ（Ｌｉｑｕｉｄ  Ｃｒｙｓｔａｌ  Ｄｉｓｐｌａｙ）などからなる表示部２４が接続されており、この表示部２４に、ユーザの操作入力に際して参考となる表示情報が表示される。ユーザは、この表示部２４の表示を見ながら、種々の操作入力をする。
【００３０】
＜記録系処理＞
先ず、図１を参照しながら、この第１の実施形態の記録再生装置の記録系について説明する。  
ユーザが、例えばリモートコマンダ２２を用いて、あるいは、記録再生装置の操作ボタンを通じて、記録指示のコマンド入力をすると、その操作情報が、ユーザインターフェース部２１を通じてシステムコントローラ部２０に供給され、このシステムコントローラ部２０による制御の下で、記録再生装置は、以下のような記録処理を行なう。
【００３１】
受信部２は、この例では、地上波アナログテレビ放送の受信用として、テレビチューナ、映像および音声中間周波回路および映像および音声検波回路を備える。
【００３２】
前述の記録指示のコマンド入力に先立ち、ユーザは、リモートコマンダ２２を用いて、あるいは、記録再生装置の操作ボタンを通じて選局入力操作をする。すると、その操作情報が、ユーザインターフェース部２１を通じてシステムコントローラ部２０に供給され、システムコントローラ部２０は、ユーザの選局操作に応じた放送チャンネルを選択するようにするための選局制御情報を受信部２に供給する。この選局の際、システムコントローラ部２０は、表示処理部２３を通じて表示部２４に選局中の放送チャンネルの表示を行なうので、ユーザは、この表示部２４の表示を見ながら、選局操作をする。
【００３３】
受信部２は、この選局制御情報を受けて、受信アンテナ１で受信したテレビ放送電波から、ユーザが選局した放送チャンネルの放送番組を選択抽出し、当該選択抽出した放送番組の音声信号および映像信号を出力する。
【００３４】
受信部２で選択抽出されたテレビ放送番組の音声信号および映像信号は、記録信号エンコード処理部３に供給されて、所定のサンプリング周波数、所定の量子化ビット数で、Ａ／Ｄ（Ａｎａｌｏｇ  ｔｏ  Ｄｉｇｉｔａｌ）変換信号処理が行われ、その変換後のデジタル音声信号およびデジタル映像信号が、記録エンコード処理される。
【００３５】
ここで記録エンコード処理としては、デジタル音声信号に対しては、例えばＭＰＥＧオーディオやＡＣ−３オーディオ（ドルビーＡＣ−３、またはＡｕｄｉｏ Ｃｏｄｅ Ｎｕｍｂｅｒ ３）などの所定の帯域圧縮方式でデータ圧縮処理が行われる。
【００３６】
また、デジタル映像信号に対しては、記録エンコード処理として、例えばＭＰＥＧビデオやウェーブレット変換などの所定の帯域圧縮方式でデータ圧縮処理が行われる。そして、データ圧縮処理された映像データは、前記圧縮音声データと多重化されて、記録処理部４を通じて内蔵の記録媒体５に記録される。
【００３７】
また、ユーザが内蔵の記録媒体５ではなく、着脱可能な外部記録媒体７への記録を指示している場合には、記録処理部４は、システムコントローラ部２０からの制御信号に応じて、記録信号エンコード処理部３からの多重化データを、外部記録媒体処理部６を通じて外部記録媒体７に記録するようにする。
【００３８】
この実施形態においては、記録される放送番組には、識別情報（記録番組識別情報という）が付与され、圧縮映像データおよび圧縮音声データは、この記録番組識別情報が付加されて記録媒体５および外部記録媒体７に記録される。この記録番組識別情報は、再生時の検索用に用いられる。
【００３９】
ここで、内蔵の記録媒体５は、この例では、ハードディスク装置で構成され、また、外部記録媒体７は、ＤＶＤとされている。
【００４０】
記録エンコード処理部３からのデジタル音声信号およびデジタル映像信号は、特徴量検出部１２に供給されて、予め定められた種々の特徴量が検出され、その検出された特徴量が特定シーン区間検出部１３に供給される。
【００４１】
特徴量検出部１２で行なう特徴量の検出としては、番組本編とＣＭや番組宣伝との区切り、複数個のＣＭが連続するとき、それぞれのＣＭの開始点、終了点を検出するためのものとしては、音声信号についての無音区間の検出、映像信号についての黒レベル区間の検出などが用いられる。また、ＣＭ区間の時間長は１５秒、３０秒、４５秒、６０秒などのように、１５秒の倍数となっているので、検出された無音区間や黒レベル区間の時間長さが１５秒の倍数となっているかもＣＭ区間の検出に用いられる。
【００４２】
また、特徴量検出部１２では、特定情報の区間の区切りの検出するための特徴量の検出のみではなく、特定情報の区間内の当該特定情報の特徴量の検出も行なっており、その検出の結果の特徴量は、特定特定シーン区間識別子生成部１４に供給される。特定情報の区間内の当該特定情報の特徴量の検出項目としては、例えば、テロップの検出、人物の検出、肌色検出、トーク検出、音楽検出、盛り上がり検出などが用いられる。ここで、例えば、盛り上がり検出は、静かな状態から急激な音量変化があったり、大きな拍手があったりすることを検出することにより行なわれる。
【００４３】
すなわち、特徴量検出部１２では、この例では、各種映像特性データおよび各種音声特性データと所定のパラメータデータとにより、所定のテロップ特徴データ（テロップ区間判定データ）、人物特徴データその他の画像特徴データ（画像特徴区間判定データ）、および話者音声特徴データ（話者音声判定データ）、拍手歓声特徴データ（拍手歓声判定データ）、その他の音声特徴データの各種特徴量抽出処理が行われる。
【００４４】
なお、この例では、特徴量検出部１２には、記録エンコード処理部３からの、データ圧縮処理過程の途中で得られるデータが入力される。この例では、後述するように、再生信号についても特徴量検出を行ない、シーン変化点の検出を行なうことを考慮して、データ圧縮処理過程の途中で得られるデータを用いて特徴量の検出および特定シーン区間検出部１３においてシーン変化点の検出を行なうようにする。
【００４５】
このようにすれば、再生信号について、特徴量検出およびシーン変化点の検出を行なう際に、再生信号を完全に圧縮デコードして、元のデジタル音声データおよびデジタル映像データに戻す必要がなく、圧縮デコード処理の途中のデータを用いて特徴量検出およびシーン変化点検出を行なうことができ、検出処理が早くなるというメリットがある。
【００４６】
特定シーン区間検出部１３では、特徴量検出部１２で検出された特徴量から特定シーン区間を検出する。この場合に、特定シーン区間検出部１３は、前述したように、例えば番組本編とＣＭとの区切りのみではなく、番組本編内の番組宣伝の区間の開始点および終了点、複数個のＣＭが連続するとき、それぞれのＣＭの開始点、終了点などを、特定シーン区間として検出する。前述したように、この例の場合、この特定シーン区間の検出情報は、ＣＭ、番組宣伝、番組本編の開始点および終了点の位置情報（例えばＣＭや番組宣伝を含めた放送番組の先頭位置を基準にしたフレーム番号（あるいはフィールド番号））である。
【００４７】
なお、受信した放送番組の情報に、番組タイトルや番組のジャンルなどの情報が含まれている場合には、特徴量検出部１２では、これら番組タイトルやジャンルの情報をも、特定情報の区間を検出するための特徴量として検出し、特定シーン区間検出部１３に送る。したがって、特定シーン区間検出部１３は、これら番組タイトルやジャンルの情報をも用いて、特定情報の区間の検出を行なう。
【００４８】
特定シーン区間検出部１３で検出された特定シーン区間の検出位置情報は、特定シーン区間識別子生成部１４に供給される。特徴量検出部１２で検出された、特定シーン区間の特定情報についての特徴量の情報も、特定シーン区間識別子生成部１４に供給される。
【００４９】
また、特徴量記憶部１５には、過去に、特徴量検出部１２で検出された特徴量に基づいて特定シーン区間検出部１３で検出された特定シーン区間についての特徴量が、特定シーン区間識別子と対応付けられて記憶されている。ただし、この特徴量記憶部１５には、同じ特定シーン区間識別子が付与されるシーンの特徴量は、一つのみが、記憶されている。特徴量のデータは、データ圧縮されて記憶されている。
【００５０】
特定シーン区間識別子生成部１４は、システムコントローラ部２０の制御の下に、記録時に、あるいは再生に先立って、図２に示すように、特定シーン区間検出部１３からの特定シーン区間の検出位置情報毎に、特定シーン区間識別子を付与する。この場合に、特定シーン区間識別子生成部１４は、当該特定シーン区間識別子を付与しようとしている特定シーン区間の特徴量を、特徴量検出部１２から得る。
【００５１】
そして、特定シーン区間識別子生成部１４は、取得した当該特定シーン区間の特徴量と、特徴量記憶部１５に記憶されている特徴量をデータ伸長したものとを順次に比較し、特徴量記憶部１５に記憶されている特徴量の中に、同じ特徴量ものがあると判別したときには、当該特定シーン区間には、特徴量記憶部１５の、前記同じ特徴量として判別された特徴量に対応して記憶されている特定シーン区間識別子を付与するようにする。
【００５２】
また、特定シーン区間識別子生成部１４は、特徴量記憶部１５に記憶されている特徴量をデータ伸長したものの中には、特徴量検出部１２から取得した当該特定シーン区間の特徴量と同じと判別されるものはないと判別したときには、新たな特定シーン区間識別子を、当該特定シーン区間に付与するようにする。そして、その新たな特定シーン区間識別子と、当該特定シーン区間の特徴量を圧縮した特徴量データとを、特徴量記憶部１５に追加記憶するようにする。
【００５３】
ここで、特定シーン区間識別子を生成するために用いる特徴量は、特定シーン区間を検出するために用いる特徴量とは、一部異なる。例えば、シーンチェンジなどの特徴量や、番組タイトル、番組ジャンルなどの情報は、特定シーン区間を検出するために用いても、特定シーン区間識別子を生成するための情報としては用いない。特定シーン区間識別子を生成するために用いる特徴量の情報は、当該特定シーン区間識別子を付与しようとしている特定シーン区間の特徴を現すためのものであり、人物が含まれているか、テロップが含まれているか、音楽が流れているかなどが用いられる。
【００５４】
そして、特定シーン区間識別子生成部１４は、記録時には、あるいは再生に先立った特定シーン区間識別子の生成時には、以上のようにして特定シーン区間検出部１３で検出した特定シーン区間の検出位置情報（特定シーン区間の位置データ）と、当該特定シーン区間について生成した特定シーン区間識別子とを、例えば図２のように対応付けたものを付加情報ファイルとして記録処理部４に送る。
【００５５】
記録処理部４は、システムコントローラ部２０の制御の下に、特定シーン区間の位置データと特定シーン区間識別子とを対応させた情報を含む付加情報ファイルを、放送番組の記録データに対応付けて記録媒体５の所定の記録領域、この例では、付加情報ファイルの領域に記録するようにする。
【００５６】
あるいは、特定シーン区間識別子生成部１４からの特定シーン区間の位置データおよび特定シーン区間識別子は、記録処理部４から外部記録媒体処理部６に供給され、この外部記録媒体処理部６で記録処理がなされて、外部記録媒体７の所定の記録領域、この例では、その付加情報ファイルの領域に記録される。
【００５７】
この場合、特定シーン区間の位置データおよび特定シーン区間識別子とからなる付加情報ファイルは、対応する放送番組の映像データおよび音声データとは、前述した記録番組識別情報により対応付けられて、内蔵の記録媒体５または外部記録媒体７の前記付加情報ファイルの領域に記録される。
【００５８】
特定シーン区間の位置データは、この実施形態では、前述したように、記録される放送番組のフレーム番号（またはフィールド番号）が用いられることにより、当該記録される放送番組の一塊について、その映像データおよび音声データのフレーム位置（またはフィールド位置）と対応付けられているものである。
【００５９】
なお、特定シーン区間識別子生成部１４からの特定シーン区間の位置データおよび特定シーン区間識別子の情報は、付加情報ファイルとして記録するのではなく、記録信号エンコード処理部３内の多重化処理部に供給し、圧縮エンコード処理された映像データおよび音声データに多重化して、記録媒体５または外部記録媒体７の所定の記録領域に記録するようにしてもよい。
【００６０】
なお、特徴量検出部１２、特定シーン区間検出部１３および特定シーン区間識別子生成部１４の処理は、システムコントローラ部２０のマイクロコンピュータによるソフトウエア処理とすることもできる。
【００６１】
＜再生系処理＞
次に、図１を参照しながら、この例の記録再生装置の再生系について説明する。  
この実施形態の記録再生装置のユーザインターフェース２１およびリモートコマンダ２２は、通常再生モードと、ＣＭなどの特定情報の区間をスキップして時間短縮して再生する時短再生モードとを切り替える再生モード切り替えボタンを備える。あるいは、記録再生装置は、通常再生モードを指定する通常再生ボタンと、時短再生モードを指定する時短再生ボタンとを設けるようにしてもよい。あるいは、時短再生モードを指定する場合には、通常再生ボタンに加えて、時短再生を指定するボタンを操作するようにしてもよい。
【００６２】
次に、再生モード時の処理動作について、説明する。ユーザは、リモートコマンダ２２を用いて、あるいは、記録再生装置の操作ボタンを通じて、いずれかの再生モードの開始指示のコマンド入力をする。すると、その操作情報が、ユーザインターフェース部２１を通じてシステムコントローラ部２０に供給され、このシステムコントローラ部２０による制御の下で、記録再生装置は、以下のような再生処理を行なう。
【００６３】
［通常再生モード動作］
先ず、始めに通常再生モードの動作について説明する。  
ユーザが、記録媒体５あるいは外部記録媒体７からの通常再生モードによる再生指示を、例えばリモートコマンダ２２を通じて入力すると、ユーザ入力インターフェース部２１を通じてシステムコントローラ部２０にそれが入力される。システムコントローラ部２０は、このユーザ入力を受けて、通常再生モードを行なうように読み出し制御部８を制御する。以下の説明においては、例えば記録媒体として、記録媒体５がユーザにより選択された場合について、説明する。
【００６４】
通常再生モードにおいては、再生処理部９により、記録媒体５から、ユーザにより再生指定された放送番組の圧縮映像データおよび圧縮音声データが読み出され、再生デコード出力部１０を供給される。
【００６５】
再生デコード出力部１０では、再生された放送番組の映像データおよび音声データが、映像データと音声データとに分離される。分離された圧縮音声データは、記録時に帯域圧縮処理された信号処理方式に対応する所定のデコード処理がなされ、そのデコード処理されて得られたデジタル音声信号が、Ｄ／Ａ（Ｄｉｇｉｔａｌ  ｔｏ  Ａｎａｌｏｇ）変換処理され、これよりアナログ音声信号として、出力端子１１ａを通じて出力される。
【００６６】
また、再生デコード出力部１０では、分離された圧縮映像データは、記録時に帯域圧縮処理された信号処理方式に対応する所定のデコード処理がなされて、デジタル映像信号とされた後、Ｄ／Ａ変換処理が行なわれ、アナログ映像信号として出力端子１１ｖを通じて出力される。
【００６７】
また、記録媒体５に記録されている付加情報ファイルが、再生処理部９により記録媒体５から読み出されて、付加情報ファイル処理部１６に供給される。そして、この付加情報ファイル処理部１６において、特定シーン区間の位置データおよび特定シーン区間識別子の情報が抽出され、システムコントローラ部２０に供給されるが、通常、再生モードでは、それらの情報は使用されない。
【００６８】
＜時短再生モード＞
この第１の実施形態における時短再生モードにおいては、記録媒体５または記録媒体７に記録された放送番組などのコンテンツのデータ（映像データおよび音声データ）と対応して記録されている付加情報ファイルを先読み参照することにより、再生しようとする特定シーン区間の存在を判定する。そして、番組の本編情報と本編情報との間や本編情報の前あるいは後に、特定シーン区間が単独で１個のみ存在しているときには、この特定シーン区間は、必ず、ノーマル再生するようにする。
【００６９】
また、番組の本編情報と本編情報との間や本編情報の前あるいは後に、複数個の特定シーン区間が連続して存在している場合には、少なくとも１個の特定シーン区間は残してノーマル再生するようにし、他の特定シーン区間は、スキップするようにする。ここで、少なくとも１個の特定シーン区間を残してノーマル再生するということは、複数の特定シーン区間をノーマル再生してもよいことを意味している。
【００７０】
このため、この実施形態では、システムコントローラ部２０は、記録媒体５または記録媒体７から読み出した付加情報ファイルを、再生処理部９および付加情報ファイル処理部１６を通じて取得し、特定シーン区間再生態様判定部１７に転送する。この特定シーン区間再生態様判定部１７は、システムコントローラ部２０を構成するマイクロコンピュータのソフトウエアにより構成することもできる。
【００７１】
特定シーン区間再生態様判定部１７は、特定シーン区間のそれぞれの再生態様として、ノーマル再生するか、スキップするかを判定し、その判定結果をシステムコントローラ部２０に供給する。システムコントローラ部２０は、この判定結果にしたがって、読み出し制御部８、再生処理部９、再生デコード出力部１０を制御して、特定シーン区間のそれぞれを、ノーマル再生あるいはスキップ再生するようにする。
【００７２】
ここで、特定シーン区間再生態様判定部１７における判定の仕方の例としては、いくつかの例がある。
【００７３】
その第１の例は、特定シーン区間再生態様判定部１７における判定を記録媒体から記録データを順次に再生しながら行ない、その判定結果をその都度用いて時短再生モードの再生を実行する方法である。この第１の例の場合には、システムコントローラ部２０は、記録媒体からの再生対象の情報信号の再生をしながら、付加情報ファイルを常に先読みして、本編情報と本編情報との間や本編情報の前または後の特定シーン区間を事前に検知するように特定シーン区間再生態様判定部１７を制御する。
【００７４】
そして、前述したように、特定シーン区間再生態様判定部１７は、番組の本編情報と本編情報との間や本編情報の前または後に、特定シーン区間が単独で１個のみ存在しているときには、この特定シーン区間は、必ず、ノーマル再生するように決定すると共に、番組の本編情報と本編情報との間や本編情報の前または後に、複数個の特定シーン区間が連続して存在している場合には、この例ではランダムに選択した、少なくとも１個の特定シーン区間は、ノーマル再生するようにし、その他の特定シーン区間は、スキップ再生するように決定する。そして、システムコントローラ部２０は、決定した再生態様で、それぞれの特定シーン区間の再生を実行する。
【００７５】
この第１の例の場合には、特定シーン区間識別子は用いる必要がなく、特定シーン区間の位置情報のみがあればよい。したがって、この第１の例を採用するのであれば、基本的には、記録再生装置に特定シーン区間識別子生成部１４を設ける必要はなく、付加情報ファイルには、特定シーン区間の位置情報が記録されていればよい。
【００７６】
特定シーン区間再生態様判定部１７における判定の仕方の第２の例は、上述の第１の例と同様に、特定シーン区間再生態様判定部１７における判定を記録媒体から記録データを順次に再生しながら行ない、その判定結果をその都度用いて時短再生モードの再生を実行する方法であるが、各特定シーン区間の再生態様の判定の仕方が第１の例とは異なる。
【００７７】
この第２の例は、特定シーン区間識別子を利用する例である。すなわち、この第２の例では、特定シーン区間再生態様判定部１７では、ノーマル再生をすると決定した特定シーン区間の識別子は記憶しておき、後に、同じ特定シーン区間識別子の特定シーン区間があったときには、それをスキップ候補として優先するようにする。
【００７８】
つまり、この第２の例では、番組の本編情報と本編情報との間や本編情報の前または後に、複数個の特定シーン区間が連続して存在している場合には、第１の例のようにランダムに選択した特定シーン区間をノーマル再生するのではなく、前にノーマル再生するとして選択した特定シーン区間はスキップ候補として、未だノーマル再生するとして選択されていない特定シーン区間を優先してノーマル再生するように決定するようにする。
【００７９】
また、この第２の例では、番組の本編情報と本編情報との間や本編情報の前または後に、複数個の特定シーン区間が連続して存在している場合に、同じ特定シーン区間識別子の特定シーン区間が連続して繰り返して挿入されているときには、その繰り返された特定シーン区間のうちの一つはスキップするように決定する。
【００８０】
図３は、上述した第１の例および第２の例の時短再生を説明するための図である。この例の再生対象の情報信号は、図３（Ａ）および（Ｂ）に示すように、番組本編情報１の前に３個の特定シーン区間ＳＣ１〜ＳＣ３が挿入され、番組本編情報１と番組本編情報２との間に、３個の特定シーン区間ＳＣ４〜ＳＣ６が挿入され、番組本編情報２の後に３個の特定シーン区間ＳＣ７〜ＳＣ９が挿入されたものである。
【００８１】
そして、特定シーン区間ＳＣ１とＳＣ９とは、同じ特定シーン区間識別子ＩＤａが付与された番組宣伝である。また、特定シーン区間ＳＣ２，ＳＣ６，ＳＣ８は、同じ特定シーン区間識別子ＩＤｂが付与されたＣＭ１であり、特定シーン区間ＳＣ３，ＳＣ５は、同じ特定シーン区間識別子ＩＤｃが付与されたＣＭ２であり、特定シーン区間ＳＣ４，ＳＣ７は、同じ特定シーン区間識別子ＩＤｄが付与されたＣＭ３である。
【００８２】
上述した第１の例においては、図３（Ｃ）に示すように、番組本編情報１の前に挿入された３個の特定シーン区間ＳＣ１〜ＳＣ３のうち、ランダムに選択された２個の特定シーン区間ＳＣ１（番組宣伝（ＩＤａ））および特定シーン区間ＳＣ２（ＣＭ１（ＩＤｂ））はノーマル再生するようにする決定され、また、番組本編情報１と番組本編情報２との間に挿入された３個の特定シーン区間ＳＣ４〜ＳＣ６のうち、ランダムに選択された１個の特定シーン区間ＳＣ５（番組宣伝（ＩＤｃ））はノーマル再生するようにする決定され、また、番組本編情報２の後に挿入された３個の特定シーン区間ＳＣ７〜ＳＣ９のうち、ランダムに選択された１個の特定シーン区間ＳＣ７（番組宣伝（ＩＤｄ））はノーマル再生するようにする決定される。
【００８３】
この例の場合、上述した第２の例が適用された場合にも、ここでは、たまたまであるが、図３（Ｃ）と同様となる。
【００８４】
すなわち、第２の例においては、番組本編情報１の前に挿入された３個の特定シーン区間ＳＣ１〜ＳＣ３のうち、この例では、２個の特定シーン区間ＳＣ１（番組宣伝（ＩＤａ））および特定シーン区間ＳＣ２（ＣＭ１（ＩＤｂ））はノーマル再生し、特定シーン区間ＳＣ３（ＣＭ２（ＩＤｃ））はスキップするように決定する。次に、番組本編情報１と番組本編情報２との間に挿入された３個の特定シーン区間ＳＣ４〜ＳＣ６については、特定シーン区間ＳＣ６のＣＭ１（ＩＤｄ）は、前の特定シーン区間ＳＣ２でノーマル再生したので、スキップすることとすると共に、この例では特定シーン区間ＳＣ４もスキップし、特定シーン区間ＳＣ５はノーマル再生するように決定する。
【００８５】
次に、番組本編情報２の後に挿入された３個の特定シーン区間ＳＣ７〜ＳＣ９については、特定シーン区間ＳＣ８のＣＭ１（ＩＤｂ）は、前の特定シーン区間ＳＣ２でノーマル再生したのでスキップすると決定し、また、特定シーン区間ＳＣ９の番組宣伝（ＩＤａ）は、前の特定シーン区間ＳＣ１でノーマル再生したのでスキップすると決定し、特定シーン区間ＳＣ７（ＣＭ３）は、ノーマル再生すると決定する。
【００８６】
特定シーン区間再生態様判定部１７における判定の仕方の第３の例においては、システムコントローラ部２０は、時短再生モードの再生開始に先立ち、再生対象の放送番組タイトルの情報信号の付加情報ファイルのすべてを読み出して、当該再生対象の放送番組タイトルの情報信号中に存在する特定シーン区間の全ての挿入位置を検知すると共に、その特定シーン区間識別子の情報から、何種類の特定シーン区間が、再生対象の情報信号に挿入させているかを検知し、その検知結果を特定シーン区間再生態様判定部１７に転送する。
【００８７】
そこで、特定シーン区間再生態様判定部１７は、システムコントローラ部２０の制御の下、全ての種類のＣＭや番組宣伝などの特定シーン区間は、必ず、１回はノーマル再生するように決定して、その再生プランを作る。例えば、ノーマル再生する区間のリストを作成し、そのリストに従ってシステムコントローラ部２０は、時短再生を実行するようにする。
【００８８】
図４は、この特定シーン区間再生態様判定部１７における判定の仕方の第３の例を説明するための図である。すなわち、この例の再生対象の情報信号は、図４（Ａ）に示すように、番組本編情報１の前に２個の特定シーン区間ＳＣ１１、ＳＣ１２が挿入され、番組本編情報１と番組本編情報２との間に、２個の特定シーン区間ＳＣ１３、ＳＣ１４が挿入され、番組本編情報２の後に２個の特定シーン区間ＳＣ１５、ＳＣ１６が挿入されたものである。
【００８９】
そして、特定シーン区間ＳＣ１１とＳＣ１６とは、同じ特定シーン区間識別子ＩＤｂが付与されたＣＭ１である。また、特定シーン区間ＳＣ１２とＳＣ１３は、同じ特定シーン区間識別子ＩＤｃが付与されたＣＭ２であり、特定シーン区間ＳＣ１４とＳＣ１５は、同じ特定シーン区間識別子ＩＤｄが付与されたＣＭ３である。
【００９０】
すなわち、特定シーン区間は、３種類のＣＭ１，ＣＭ２，ＣＭ３からなっているものである。そこで、特定シーン区間再生態様判定部１７は、３種のＣＭのそれぞれを、少なくとも１回は、ノーマル再生するようにスケジューリングして、再生プランを作成する。
【００９１】
図４（Ｂ）の例では、特定シーン区間再生判定部１７は、番組本編情報１の前の２個の特定シーン区間ＳＣ１１、ＳＣ１２のうち、特定シーン区間ＳＣ１１はノーマル再生し、特定シーン区間ＳＣ１２はスキップするように決定し、また、番組本編情報１と番組本編情報２との間の２個の特定シーン区間ＳＣ１３、ＳＣ１４のうち、特定シーン区間ＳＣ１３はノーマル再生し、特定シーン区間ＳＣ１４はスキップするように決定し、さらに、番組本編情報２の後の２個の特定シーン区間ＳＣ１５、ＳＣ１６のうち、特定シーン区間ＳＣ１５はノーマル再生し、特定シーン区間ＳＣ１６はスキップするように決定して、再生区間のリストを作成する。
【００９２】
なお、この時短再生モードがユーザにより指示されたときに、記録媒体５または記録媒体７に記録された放送番組のデータに、付加情報ファイルが対応して記録されていないときには、記録再生装置は、ユーザに「必要な付加情報ファイルがないので、生成しますか？」という問合せをする。
【００９３】
そして、この問合せに対して、ユーザが「ＹＥＳ（付加情報ファイルを生成する）」と返答操作したときには、記録再生装置のシステムコントローラ部２０は、再生モードの実行に先立ち、記録された放送番組の記録データを読み出して、再生処理部９および再生デコード部１０を通じて特徴量検出部１２に供給し、特徴量検出部１２での特徴量検出、特定シーン区間検出部１３での特定シーン区間検出および特定シーン区間識別子生成部１４での特定シーン区間識別子の生成付与を実行するように制御する。
【００９４】
そして、前述の図２に示したような、検出された特定シーン区間の位置情報と各特定シーン区間の特定シーン区間識別子とを含む付加情報ファイルを、再生対象の放送番組の記録データに対応付けて、記録媒体５または外部記録媒体７に記録するようにする。
【００９５】
これにより、例えば、外部記録媒体７が、この実施形態の記録再生装置によって記録されたものではなく、付加情報ファイルが記録されていなくても、この実施形態の記録再生装置における時短再生モードを行なえるようになる。また、付加情報ファイルが記録されていない外部記録媒体７から記録媒体５に複製記録された放送番組の記録データについても同様である。
【００９６】
［記録媒体５と外部記録媒体７との間の複製記録］
この例の記録再生装置は、記録媒体５に記録された映像および音声データ、さらに記録されている場合には、付加情報ファイルを外部記録媒体７に複製記録する機能と、逆に、外部記録媒体７に記録された映像および音声データ、さらに記録されている場合には、付加情報ファイルを記録媒体５に複製記録する機能とを備える。
【００９７】
すなわち、ユーザがユーザ入力インターフェース部２１を通じて、記録媒体５から外部記録媒体７への複製記録を指示入力すると、システムコントローラ部２０の制御にしたがい、読み出し制御部８は、記録媒体５から映像および音声データを読み出し、再生処理部９に供給する。記録媒体５に、複製記録する情報信号に関連する付加情報ファイルも記録されている場合には、読み出し制御部８は、当該付加情報ファイルも読み出して、再生処理部９に送る。再生処理部９は、システムコントローラ部２０の制御にしたがい、記録処理部４に映像および音声データ、また、付加情報ファイルのデータを送る。
【００９８】
記録処理部４は、システムコントローラ部２０の制御にしたがって、再生処理部９からのデータを、記録媒体処理部６を通じて外部記録媒体７に送り、複製記録を行なうようにする。
【００９９】
外部記録媒体７に記録されている映像および音声データ、また、付加情報ファイルのデータを、記録媒体５に複製記録する指示入力がユーザ入力インターフェース部２１を通じてシステムコントローラ部２０に入力された場合にも、上述と同様にして、複製記録が実行されるものである。
【０１００】
［第１の実施形態の記録再生装置における主要な動作処理の説明］
次に、上述のように構成された第１の実施形態の記録再生装置における主要な動作処理を、図５〜図１０のフローチャートを参照しながら説明する。以下に説明するフローチャートの各ステップの処理は、主としてシステムコントローラ部２０を構成するマイクロコンピュータの制御の下に実行されるものである。
【０１０１】
すなわち、図５に示すように、システムコントローラ部２０は、ユーザ入力インターフェース部２１の出力を監視することにより、ユーザ操作入力があるか否か監視する（ステップＳ１）。そして、ユーザ操作入力があったと判別したときには、システムコントローラ部２０は、当該ユーザ操作入力は、記録開始操作であるか否か判別し（ステップＳ２）、記録開始操作であると判別したときには、記録処理ルーチンと、特徴量検出、特定シーン区間検出および特定シーン区間識別子生成ルーチンとを、並行して実行する（ステップＳ３）。
【０１０２】
そして、システムコントローラ部２０は、記録停止のユーザ操作があったか否か監視し（ステップＳ４）、記録停止のユーザ操作を検知しないときには、ステップＳ３に戻って、記録処理ルーチンと、特徴量検出、特定シーン区間検出および特定シーン区間識別子生成ルーチンとの並行実行を継続し、記録停止のユーザ操作がなされたと判別したときには、記録後処理を実行（ステップＳ５）した後、ステップＳ１に戻る。
【０１０３】
ステップＳ５の記録後処理においては、システムコントローラ部２０は、特定シーン区間検出部１３で検出された特定シーン区間の位置データと、特定シーン区間識別子の情報とを、付加情報ファイルとして、記録した放送番組の記録データに対応付けて記録媒体に記録する。この場合、付加情報ファイルと、記録した放送番組の記録データとの対応付けは、記録した放送番組の識別情報により行なわれる。
【０１０４】
なお、記録後処理として付加情報ファイルを記録するのではなく、記録処理と並行してリアルタイムでなされた特定シーン区間検出の検出結果および特定シーン区間識別子の情報とを、付加情報ファイルの記録領域に順次に記録するようにしても良いが、記録後処理においては、記録処理と並行してリアルタイムでなされた特定シーン区間検出の検出結果および特定シーン区間識別子の情報のそのものを付加情報ファイルに含めて記録するのではなく、特定シーン区間検出部１３で、記録処理と並行してなされた特定シーン区間検出の検出結果にさらに検討を加えて、より確からしい特定シーン区間を検出し、当該より確からしい特定シーン区間の位置データと、その特定シーン区間識別子とを付加情報ファイルに含めて記録するようにする。
【０１０５】
ステップＳ３で実行される、記録処理と、特徴量検出、特定シーン区間検出および特定シーン区間識別子生成処理との並行処理ルーチンを、図６のフローチャートを参照して説明する。
【０１０６】
先ず、システムコントローラ部２０は、記録しようとするデータを取り込む（ステップＳ１１）。すなわち、システムコントローラ部２０は、記録しようとするデータが受信部２からの放送番組の情報（映像情報および音声情報）であるときには、受信部２で選択受信した放送番組の情報を記録信号エンコード処理部３に供給するように指示する。
【０１０７】
次に、システムコントローラ部２０は、記録信号エンコード処理部３に、放送番組の情報を記録エンコード処理するように指示し（ステップＳ１２）、記録処理部４を制御して、ユーザにより選択指定された記録媒体５または外部記録媒体７の一方に、その記録エンコード処理された放送番組の映像情報および音声情報を記録する（ステップＳ１３）。
【０１０８】
そして、システムコントローラ部２０は、ユーザにより記録終了指示がなされたか否か判別し（ステップＳ１４）、記録終了指示がなされてはいないと判別したときには、ステップＳ１１に戻って、記録処理を継続する。
【０１０９】
ステップＳ１１〜Ｓ１４は、記録処理ルーチンを構成するもので、この記録処理ルーチンと並行して特徴量検出、特定シーン区間検出および特定シーン区間識別子生成処理ルーチンがなされる。すなわち、システムコントローラ部２０は、ステップＳ１１で取り込まれた記録すべきデータを、特徴量検出部１２にも供給するように指示すると共に、特徴量検出部１２に特徴量検出処理の実行を指示する（ステップＳ１５）。なお、前述したように、この例では、記録信号エンコード処理部３からの圧縮途中のデータが特徴量検出部１２に供給される。
【０１１０】
特徴量検出部１２は、この実行指示を受けて、前述した種々の特徴量の検出を実行し、その処理結果を特定シーン区間検出部１３に供給する。特定シーン区間検出部１３は、システムコントローラ部２０の実行指示を受けて、上述した特定シーン区間の検出処理を実行する（ステップＳ１６）。そして、システムコントローラ部２０は、特徴量検出部１２で検出された特徴量データと、特定シーン区間検出部１３で検出された特定シーン区間の位置データとを、内蔵するバッファメモリなどに記憶保持しておく（ステップＳ１７）。ここで、特徴量検出部１２で検出された特徴量データをも記憶保持しておくのは、より確からしい特定シーン区間を、再生成する際に用いるためである。
【０１１１】
そして、システムコントローラ部２０は、ユーザにより記録終了指示がなされたか否か判別し（ステップＳ１８）、記録終了指示がなされてはいないと判別したときには、ステップＳ１５に戻って、特徴量検出、特定シーン区間検出および特定シーン区間識別子生成処理を継続する。
【０１１２】
なお、ステップＳ１４の判別処理とステップＳ１８の判別処理は、実際には、別々の判別処理ではなく、同一の判別処理であるが、ここでは、２つの処理ルーチンを並列に記述したため、便宜上、図６のように、２つの判別ステップに分離して記載したものである。
【０１１３】
そして、システムコントローラ部２０は、ステップＳ１４、ステップＳ１８で、ユーザにより記録終了指示がなされたと判別したときには、特定シーン区間検出部１３に指示して、バッファメモリに保持している特徴量データと特定シーン区間の位置データを用いて、記録媒体５または記録媒体７に、放送番組の記録データと共に記録する、より確からしい特定シーン区間の位置情報を生成させるようにすると共に、特定シーン区間識別子の生成を行なう（ステップＳ１９）。
【０１１４】
そして、システムコントローラ部２０は、記録処理部４に対し、図２に示したように、ステップＳ１９で生成された特定シーン区間の位置情報と、特定シーン区間識別子の情報とを含めた付加情報ファイルを、前記放送番組の記録データに対応付けた状態で、放送番組の記録データを記録した記録媒体に記録するように制御する（ステップＳ２０）。
【０１１５】
次に、図６のステップＳ１９での特定シーン区間識別子の生成処理について、図７のフローチャートを参照しながら説明する。この図７のフローチャートの各ステップの処理は、この例では、システムコントローラ２０の制御の下、特定シーン区間識別子生成部１４で実行されるものである。なお、システムコントローラ２０のマイクロコンピュータが、特定シーン区間識別子生成部１４の機能をソフトウエアとして備えるように構成してもよい。
【０１１６】
先ず、システムコントローラ部２０は、最初の特定シーン区間を指定して（ステップＳ３１）、特定シーン区間識別子生成部１４に対して、バッファメモリに保持されていた、その特定シーン区間の位置情報と、その特定シーン区間の位置情報で特定される特定シーン区間の特徴量を、渡す（ステップＳ３２）。
【０１１７】
特定シーン区間識別子生成部１４は、取得した特定シーン区間の特徴量と、特徴量記憶部１５に記憶されている過去に付与された特定シーン区間識別子についての特徴量とを比較する（ステップＳ３３）。このとき、特徴量記憶部１５に記憶されている特徴量は、圧縮されているので、特定シーン区間識別子生成部１４は、圧縮を解凍して、取得した特定シーン区間の特徴量と比較する。
【０１１８】
そして、特定シーン区間識別子生成部１４は、取得した特定シーン区間の特徴量と、同一であると判定される特徴量が、特徴量記憶部１５に記憶されたものの中にあるか否か判別する（ステップＳ３４）。
【０１１９】
ステップＳ３４で、取得した特定シーン区間の特徴量と、同一であると判定される特徴量が、特徴量記憶部１５に記憶されたものの中にあると判別したときには、特徴量記憶部１５に記憶されている、同一であると判定された特徴量に付与されている特定シーン区間識別子を、当該取得した特定シーン区間に対して付与する（ステップＳ３５）。
【０１２０】
また、ステップＳ３４で、取得した特定シーン区間の特徴量と、同一であると判定される特徴量が、特徴量記憶部１５に記憶されたものの中には、存在しないと判別したときには、新たな特定シーン区間識別子を、当該特定シーン区間に対して生成して付与し（ステップＳ３６）、当該生成付与した新たな特定シーン区間識別子と、その特定シーン区間の特徴量とを、特徴量記憶部１５に記憶する（ステップＳ３７）。
【０１２１】
そして、ステップＳ３５またはステップＳ３７の次には、システムコントローラ部２０は、ステップＳ３８に進んで、記録された放送番組の最後の特定シーン区間までについての特定シーン区間識別子の生成処理が終了したか否か判別し、終了してはいないと判別したときには、次の特定シーン区間を指定し（ステップＳ３９）、ステップＳ３２に戻って、このステップＳ３２以降の処理を繰り返す。
【０１２２】
また、ステップＳ３８で、記録された放送番組の最後の特定シーン区間までについての特定シーン区間識別子の生成処理が終了したと判別したときには、この特定シーン区間識別子の生成付与処理ルーチンを終了し、図６の記録処理ルーチンに戻る。システムコントローラ部２０は、前述したように、この特定シーン区間識別子の生成付与処理ルーチンが終了すると、図２に示したような、特定シーン区間の位置情報と、当該特定シーン区間の特定シーン区間識別子とを対応付けたデータを、付加情報ファイルとして、対応する放送番組の記録データに対応付けて記録する。
【０１２３】
次に、図５のステップＳ２で、操作入力は、記録開始操作ではないと判別したときには、システムコントローラ部２０は、操作入力は、時短再生モードの再生開始指示操作であるか否か判別する（図８のステップＳ４１）。このステップＳ４１で、操作入力は、時短再生モードの再生開始指示操作ではないと判別したときには、システムコントローラ部２０は、操作入力は、通常再生モードの再生開始指示操作であるか否か判別し（ステップＳ４２）、そうではないと判別したときには、その操作入力に応じたその他の処理を実行する（ステップＳ４３）。そして、その処理後、ステップＳ１に戻り、このステップＳ１以降の処理を繰り返す。
【０１２４】
そして、ステップＳ４２で、操作入力は、通常再生モードの再生開始指示操作であると判別したときには、システムコントローラ部２０は、操作入力により指定された再生対象が記録された記録媒体５または７から、指定された放送番組の記録データと、その付加情報ファイルとを読み出し、ノーマル速度再生を開始する（ステップＳ４４）。
【０１２５】
次に、システムコントローラ部２０は、再生対象の番組の最後まで再生されたか否か判別し（ステップＳ４５）、最後まで再生されたと判別したときには、再生終了処理を実行する（ステップＳ５４）。
【０１２６】
また、ステップＳ４５で、最後まで再生されてはいないと判別したときには、システムコントローラ部２０は、ユーザにより再生終了指示操作がなされたか否か判別し（ステップＳ４６）、ユーザにより再生終了指示操作がなされてはいないと判別したときには、ステップＳ４４に戻り、通常再生処理を継続する。また、ステップＳ４６で、ユーザにより再生終了指示操作がなされたと判別したときには、再生終了処理を実行する（ステップＳ５４）。
【０１２７】
一方、図８のステップＳ４１で、時短再生モードの再生開始指示がなされたと判別したときには、以下のような時短再生モードの再生処理を実行する。図８は、特定シーン区間再生態様判定部１７での判定の仕方が第１の例の場合における時短再生モードの処理である。
【０１２８】
システムコントローラ部２０は、記録媒体５または７から再生対象の放送番組の付加情報ファイルの特定シーン区間の位置情報および特定シーン区間識別子を先読みしながら、放送番組の記録データの読み出しを開始するようにする（ステップＳ４７）。
【０１２９】
そして、システムコントローラ部２０は、記録媒体から付加情報ファイルの特定シーン区間の位置情報を先読みして、当該先読みした特定シーン区間について、特定シーン区間再生態様判定部１７で各特定シーン区間の再生態様を決定し、その決定された再生態様で、各特定シーン区間を再生をするように、読み出し制御部８、再生処理部９、再生デコード出力部１０を制御するようにする。
【０１３０】
すなわち、システムコントローラ部２０は、先ず、付加情報ファイルから読み出した特定シーン区間の位置情報から、本編情報と本編情報との間や本編情報の前または後の特定シーン区間を検出したか否かを判別し（ステップＳ４８）、特定シーン区間を検出したときには、検出した特定シーン区間は複数個連続して存在しているか否か判別する（ステップＳ４９）。
【０１３１】
ステップＳ４９で、検出した特定シーン区間は複数個連続して存在していると判別したときには、システムコントローラ部２０は、少なくとも１個の特定シーン区間は、ノーマル速度再生すべく、残して、他の特定シーン区間はスキップ再生するように決定する（ステップＳ５０）。そして、本編情報と共に、ノーマル速度再生すると決定された特定シーン区間の再生を実行する（ステップＳ５１）。
【０１３２】
ステップＳ４８で、特定シーン区間を検出しなかったときには、システムコントローラ部２０は、ステップＳ５１に進んで、放送番組の記録データのノーマル速度再生を実行する。また、ステップＳ４９で、検出した特定シーン区間は、複数個連続して存在しているのではなく、１個のみであると判別したときには、そのままステップＳ５１に進んで、スキップすることなく、放送番組の本編データと共に、ノーマル速度再生するようにする。
【０１３３】
そして、ステップＳ５１の次には、システムコントローラ部２０は、再生対象の番組の最後まで再生されたか否か判別し（ステップＳ５２）、最後まで再生されたと判別したときには、再生終了処理を実行する（ステップＳ５４）。
【０１３４】
また、ステップＳ５２で、最後まで再生されてはいないと判別したときには、システムコントローラ部２０は、ユーザにより再生終了指示操作がなされたか否か判別し（ステップＳ５３）、ユーザにより再生終了指示操作がなされてはいないと判別したときには、ステップＳ４７に戻り、このステップＳ４７以降の処理を繰り返す。また、ステップＳ５３で、ユーザにより再生終了指示操作がなされたと判別したときには、再生終了処理を実行する（ステップＳ５４）。そして、図５のステップＳ１に戻る。
【０１３５】
以上のようにして、この図８の第１の例によれば、ＣＭ区間や番組宣伝区間などの特定シーン区間は、番組本編情報と番組本編情報との間や番組本編情報の前または後に１個しか挿入されていないときには、そのままノーマル速度再生され、かつ、番組本編情報と番組本編情報との間や番組本編情報の前または後に複数個存在する場合には、ランダムに選択された任意の少なくとも１個の特定シーン区間がノーマル速度再生されると共に、他はスキップ再生されるので、ＣＭを提供する側にとっての不利益を軽減すると共に、ＣＭ区間の挿入を演出として利用している放送番組コンテンツの魅力が損なわれてしまうことがない。
【０１３６】
次に、図９に、特定シーン区間再生態様判定部１７での判定の仕方が第２の例の場合における時短再生モードの処理のフローチャートを示す。なお、図９では、図８と同一ステップ部分では、同一ステップ番号を付すと共に、図８に対応して通常再生モードの処理のフローチャート部分も示している。
【０１３７】
すなわち、図９に示す第２の例においては、図８のステップＳ５０の代わりに、ステップＳ５５が設けられている点のみが図８と異なり、その他は、全く図８と同様である。
【０１３８】
すなわち、第２の例においては、図９に示すように、ステップＳ４９で番組本編情報と番組本編情報との間や番組本編情報の前または後に複数個の特定シーン区間が存在していると判別したときには、システムコントローラ部２０は、特定シーン区間識別子を参照して、先にノーマル再生した特定シーン区間と同じ特定シーン区間は、スキップ再生する候補としながら、少なくとも１個の特定シーン区間はノーマル再生するものとしつつ、他のスキップ候補は、スキップするようにする。
【０１３９】
つまり、番組本編情報と番組本編情報との間や番組本編情報の前または後に存在する複数個の特定シーン区間で、先にノーマル再生したことが無いものがあれば、それはノーマル再生するものと決定し、かつ、先にノーマル再生した特定シーン区間と同じ特定シーン区間は、スキップ再生するものと決定する。
【０１４０】
ここで、番組本編情報と番組本編情報との間や番組本編情報の前または後に存在する複数個の特定シーン区間で、先にノーマル再生したことが無い特定シーン区間が複数あるときには、それらを全てノーマル再生するように決定しても良いし、また、そのうちのランダムに選択した任意の１個のみをノーマル再生するように決定してもよい。
【０１４１】
また、番組本編情報と番組本編情報との間や番組本編情報の前または後に存在する複数個の特定シーン区間は、全て先にノーマル再生した特定シーン区間であるときには、そのうちのランダムに選択した任意の１個の特定シーン区間をノーマル再生するように決定してもよい。
【０１４２】
この第２の例によれば、放送番組の情報信号中に挿入されている複数種の特定シーン区間が、できるだけ再生されるようになるので、より情報信号の提供側の意思が尊重されるようになる。
【０１４３】
次に、図１０に、特定シーン区間再生態様判定部１７での判定の仕方が第３の例の場合における時短再生モードの処理のフローチャートを示す。なお、図１０では、図８と同一ステップ部分では、同一ステップ番号を付すと共に、図８に対応して通常再生モードの処理のフローチャート部分も示している。
【０１４４】
すなわち、この第３の例においては、ステップＳ４１で、時短再生モードの再生開始指示があったと判別したときには、システムコントローラ部２０は、実際の再生に先立ち、記録媒体５または７から再生対象の放送番組の付加情報ファイルを全て読み出し、その特定シーン区間の位置情報および特定シーン区間識別子を先読みする（ステップＳ６１）。
【０１４５】
次に、システムコントローラ部２０は、当該再生対象の情報信号に挿入されている特定シーン区間の全ての種類を、その特定シーン区間識別子の種類から判別して、次の２条件を満足するようにして、全ての特定シーン区間について、スキップするか、ノーマル速度再生をするかの再生態様を決定して、再生プランを生成する（ステップＳ６２）。
【０１４６】
前記条件の第１は、番組本編情報と番組本編情報との間や番組本編情報の前または後においては、少なくとも１個の特定シーン区間はノーマル再生するものとする。前記条件の第２は、全ての種類の特定シーン区間が少なくとも１回は、ノーマル速度再生するようにことである。
【０１４７】
このステップＳ６２での再生プランは、例えばノーマル速度再生する区間を、例えばフレーム番号（フィールド番号）で表わしたリストとして生成される。この再生プランの作成完了すると、システムコントローラ部２０は、生成した再生プランの前記リストに基づいて、前記リストで示される情報信号の区間のみをノーマル速度再生するように制御する（ステップＳ６３）。
【０１４８】
そして、ステップＳ６３の次には、システムコントローラ部２０は、再生対象の番組の最後まで再生されたか否か判別し（ステップＳ５２）、最後まで再生されたと判別したときには、再生終了処理を実行する（ステップＳ５４）。
【０１４９】
また、ステップＳ５２で、最後まで再生されてはいないと判別したときには、システムコントローラ部２０は、ユーザにより再生終了指示操作がなされたか否か判別し（ステップＳ５３）、ユーザにより再生終了指示操作がなされてはいないと判別したときには、ステップＳ６３に戻り、このステップＳ６３以降の処理を繰り返す。また、ステップＳ５３で、ユーザにより再生終了指示操作がなされたと判別したときには、再生終了処理を実行する（ステップＳ５４）。そして、図５のステップＳ１に戻る。
【０１５０】
この第３の例によれば、再生対象の放送番組で放送予定のＣＭや番組宣伝の全てが、少なくとも１回は、ノーマル速度再生されるので、放送側の意図は、最小限反映される。また、番組本編情報と番組本編情報との間や番組本編情報の前または後には、少なくとも１個の特定シーン区間がノーマル速度再生されるようにされるので、特定シーン区間の挿入を演出として利用している放送番組コンテンツの魅力が損なわれてしまうことがない。
【０１５１】
［第２の実施形態］
第１の実施形態では、記録された放送番組単位の情報のみを用いて、本編情報と本編情報との間や本編情報の前または後に挿入される特定シーン区間のそれぞれの再生態様を決定するようにした。これに対して、この第２の実施形態では、記録媒体５または記録媒体７から再生された放送番組についてのユーザの視聴履歴を参考にして、特定シーン区間のそれぞれの再生態様を決定するようにする。
【０１５２】
すなわち、第２の実施形態では、記録された放送番組単位ではなく、複数の放送番組の記録データが再生されたときには、それらの複数の放送番組の記録データの再生時にノーマル再生された特定シーン区間の視聴履歴を保存しておき、その保存された特定シーン区間の視聴履歴を参照し、過去に視聴されていて認知度の高い特定シーン区間は、スキップ対象とするようにする。
【０１５３】
なお、この第２の実施形態では、時短再生モードの再生時においても、ノーマル再生された特定シーン区間の視聴履歴は保存するようにするものである。
【０１５４】
［第２の実施形態の記録再生のハードウエア構成例］
図１１に、この第２の実施形態が適用された場合の記録再生装置のハードウエア構成例を示す。この図１１のハードウエア構成は、図１に示した第１の実施形態の記録再生装置のハードウエア構成に、特定シーン区間視聴履歴保持部１８を追加したものに等しい。その他は、第１の実施形態の記録再生装置の各部と全く同様である。
【０１５５】
特定シーン区間視聴履歴保持部１８は、特定シーン区間識別子に対応して視聴回数（ノーマル速度再生回数）を記憶して保持する。
【０１５６】
この第２の実施の形態では、システムコントローラ部２０は、時短再生モードにおいては、特定シーン区間再生態様判定部１７に、付加情報ファイル処理部１６を通じて取得した特定シーン区間の位置情報および特定シーン区間識別子の情報を渡すと共に、特定シーン区間視聴履歴保持部１８に保持されている各特定シーン区間識別子で表わされる特定シーン区間の視聴回数の情報を読み出して渡す。
【０１５７】
特定シーン区間再生態様判定部１７は、本編情報と本編情報との間や本編情報の前または後に挿入されている特定シーン区間のそれぞれについてノーマル速度再生するか、スキップするかの再生態様を、特定シーン区間の視聴履歴の情報に基づいて、認知度の高い特定シーン区間は、スキップ対象とすると共に、本編情報と本編情報との間で少なくとも１個の特定シーン区間はノーマル速度再生するようにすることを条件として、決定するようにする。
【０１５８】
そして、この第２の実施形態において、特定シーン区間視聴履歴保持部１８に保持される特定シーン区間の視聴履歴情報は、システムコントローラ部２０により、所定の期間毎にリセット（クリア）される。
【０１５９】
ここで、リセットされる所定の期間毎としては、以下のように幾つかの場合がある。  
（１）記録再生装置の電源がオフとされる毎、あるいは電源がオンとされる毎。
【０１６０】
（２）１日毎。
【０１６１】
（３）１週間毎。
【０１６２】
（４）１ヶ月毎。
【０１６３】
（５）３ヶ月毎。
【０１６４】
（６）放送番組の再生毎。
【０１６５】
前記（１）の場合には、記録媒体５または７から情報信号を再生して視聴している間は、その再生履歴を保持しておき、当該視聴中期間においては、同じ特定シーン区間は、スキップ候補とするものである。
【０１６６】
また、前記（６）の放送番組の再生毎のクリアをする場合は、時短再生モードにおいて、放送番組単位で、ノーマル速度再生をするとして決定して実際にノーマル速度再生した特定シーン区間の特定シーン区間識別子を、特定シーン区間視聴履歴保持部１８に保持する場合に相当する。これは、第１の実施形態における前記特定シーン区間再生態様判定部１７における判定の仕方の第２の例に等しい動作となる。
【０１６７】
［第２の実施形態の記録再生装置における主要な動作処理の説明；再生モードの説明］
この第２の実施形態の記録再生装置における記録動作は、上述した第１の実施形態の場合と全く同様であるので、ここではその説明は省略する。
【０１６８】
この第２の実施形態では、第１の実施形態における図５のフローチャートで、ステップＳ２において、操作入力は記録開始操作ではないと判別したときには、第１の実施形態における図９のフローチャートの代わりに、図１２のステップＳ７１に進み、システムコントローラ部２０は、操作入力は、時短再生モードの再生開始指示操作であるか否か判別する。
【０１６９】
そして、このステップＳ７１で、操作入力は、時短再生モードの再生開始指示操作ではないと判別したときには、システムコントローラ部２０は、操作入力は、通常再生モードの再生開始指示操作であるか否か判別し（ステップＳ７２）、そうではないと判別したときには、その操作入力に応じたその他の処理を実行する（ステップＳ７３）。そして、その処理後、図５のステップＳ１に戻り、このステップＳ１以降の処理を繰り返す。
【０１７０】
そして、ステップＳ７２で、操作入力は、通常再生モードの再生開始指示操作であると判別したときには、システムコントローラ部２０は、操作入力により指定された再生対象が記録された記録媒体５または７から、指定された放送番組の記録データと、その付加情報ファイルとを読み出し、ノーマル速度再生を開始する（ステップＳ７４）。
【０１７１】
そして、システムコントローラ部２０は、付加情報ファイルの特定シーン区間の位置情報および特定シーン区間識別子を参照して、特定シーン区間をノーマル速度再生したか否か監視し（ステップＳ７５）、特定シーン区間をノーマル速度再生したと判別したときには、その特定シーン区間識別子と対応付けて、再生回数を、特定シーン区間視聴履歴保持部１８に記憶保持する（ステップＳ７６）。
【０１７２】
次に、システムコントローラ部２０は、再生対象の番組の最後まで再生されたか否か判別し（ステップＳ７７）、最後まで再生されたと判別したときには、再生終了処理を実行する（ステップＳ８５）。ステップＳ７５で特定シーン区間をノーマル速度再生してはいないと判別したときにもステップＳ７７に進み、同様の処理をする。
【０１７３】
また、ステップＳ７７で、最後まで再生されてはいないと判別したときには、システムコントローラ部２０は、ユーザにより再生終了指示操作がなされたか否か判別し（ステップＳ７８）、ユーザにより再生終了指示操作がなされてはいないと判別したときには、ステップＳ７４に戻り、上述した通常再生処理を継続する。また、ステップＳ７８で、ユーザにより再生終了指示操作がなされたと判別したときには、再生終了処理を実行する（ステップＳ８５）。
【０１７４】
一方、図１２のステップＳ７１で、時短再生モードの再生開始指示がなされたと判別したときには、以下のような時短再生モードの再生処理を実行する。図１２は、特定シーン区間再生態様判定部１７での判定の仕方が前述した第２の例と同様の場合における時短再生モードの処理である。
【０１７５】
システムコントローラ部２０は、記録媒体５または７から再生対象の放送番組の付加情報ファイルの特定シーン区間の位置情報および特定シーン区間識別子を先読みし、かつ、特定シーン区間視聴履歴保持部１８からの特定シーン区間の視聴履歴を読み出しながら、放送番組の記録データの読み出しを開始するようにする（ステップＳ７９）。
【０１７６】
そして、システムコントローラ部２０は、記録媒体から付加情報ファイルの特定シーン区間の位置情報を先読みして、当該先読みした特定シーン区間について、特定シーン区間視聴履歴保持部１８からの特定シーン区間の視聴履歴を参考にしながら、特定シーン区間再生態様判定部１７で各特定シーン区間の再生態様を決定し、その決定された再生態様で、各特定シーン区間を再生をするように、読み出し制御部８、再生処理部９、再生デコード出力部１０を制御するようにする。
【０１７７】
すなわち、システムコントローラ部２０は、先ず、付加情報ファイルから読み出した特定シーン区間の位置情報から、本編情報と本編情報との間や本編情報の前または後の特定シーン区間を検出したか否かを判別し（ステップＳ８０）、特定シーン区間を検出したときには、検出した特定シーン区間は複数個連続して存在しているか否か判別する（ステップＳ８１）。
【０１７８】
ステップＳ８１で、検出した特定シーン区間は複数個連続して存在していると判別したときには、システムコントローラ部２０は、少なくとも１個の特定シーン区間は、ノーマル速度再生すべく決定すると共に、他の特定シーン区間は、特定シーン区間視聴履歴保持部１８からの特定シーン区間の視聴履歴を参考にして、既にノーマル再生した特定シーン区間を優先してスキップ再生するように決定する（ステップＳ８２）。
【０１７９】
そして、本編情報と共に、ノーマル速度再生すると決定された特定シーン区間の再生を実行すると共に、特定シーン区間をノーマル速度再生したときに、その特定シーン区間識別子と対応付けて、再生回数を、特定シーン区間視聴履歴保持部１８に記憶保持する（ステップＳ８３）。
【０１８０】
ステップＳ８０で、特定シーン区間を検出しなかったときには、システムコントローラ部２０は、ステップＳ８３に進んで、放送番組の記録データのノーマル速度再生を実行する。また、ステップＳ８１で、検出した特定シーン区間は、複数個連続して存在しているのではなく、１個のみであると判別したときには、そのままステップＳ８３に進んで、スキップすることなく、放送番組の本編データと共に、ノーマル速度再生するようにする。
【０１８１】
そして、ステップＳ８３の次には、システムコントローラ部２０は、再生対象の番組の最後まで再生されたか否か判別し（ステップＳ８４）、最後まで再生されたと判別したときには、再生終了処理を実行する（ステップＳ８６）。
【０１８２】
また、ステップＳ８４で、最後まで再生されてはいないと判別したときには、システムコントローラ部２０は、ユーザにより再生終了指示操作がなされたか否か判別し（ステップＳ８５）、ユーザにより再生終了指示操作がなされてはいないと判別したときには、ステップＳ７９に戻り、このステップＳ７９以降の処理を繰り返す。また、ステップＳ８５で、ユーザにより再生終了指示操作がなされたと判別したときには、再生終了処理を実行する（ステップＳ８６）。そして、図５のステップＳ１に戻る。
【０１８３】
次に、図１３に、特定シーン区間再生態様判定部１７での判定の仕方が第３の例の場合における第２の実施形態の時短再生モードの処理のフローチャートを示す。なお、図１３では、図１２と同一ステップ部分では、同一ステップ番号を付すと共に、図１２に対応して通常再生モードの処理のフローチャート部分も示している。
【０１８４】
すなわち、この例においては、ステップＳ７１で、時短再生モードの再生開始指示があったと判別したときには、システムコントローラ部２０は、実際の再生に先立ち、記録媒体５または７から再生対象の放送番組の付加情報ファイルを全て読み出し、その特定シーン区間の位置情報および特定シーン区間識別子を先読みすると共に、特定シーン区間視聴履歴保持部１８からの特定シーン区間の視聴履歴を読み出す（ステップＳ９１）。
【０１８５】
次に、システムコントローラ部２０は、当該再生対象の情報信号に挿入されている特定シーン区間の全ての種類を、その特定シーン区間識別子の種類から判別して、次の２条件を満足するようにして、全ての特定シーン区間について、スキップするか、ノーマル速度再生をするかの再生態様を決定して、再生プランを生成する（ステップＳ９２）。
【０１８６】
前記条件の第１は、番組本編情報と番組本編情報との間や番組本編情報の前または後においては、少なくとも１個の特定シーン区間はノーマル再生するものとする。前記条件の第２は、全ての種類の特定シーン区間が少なくとも１回は、ノーマル速度再生するようにことである。前記条件の第３は、特定シーン区間視聴履歴情報を用いて、ノーマル速度再生した特定シーン区間はスキップ再生候補とすることである。前述したように、スキップ再生候補とされた特定シーン区間であっても、他の条件を満足するために、ノーマル速度再生するとして決定されることもある。
【０１８７】
このステップＳ９２での再生プランは、例えばノーマル速度再生する区間を、例えばフレーム番号（フィールド番号）で表わしたリストとして生成される。この再生プランの作成完了すると、システムコントローラ部２０は、生成した再生プランの前記リストに基づいて、前記リストで示される情報信号の区間のみをノーマル速度再生するように制御する（ステップＳ９３）。
【０１８８】
そして、特定シーン区間をノーマル速度再生したときに、その特定シーン区間識別子と対応付けて、再生回数を、特定シーン区間視聴履歴保持部１８に記憶保持する（ステップＳ９４）。
【０１８９】
そして、ステップＳ９４の次には、システムコントローラ部２０は、再生対象の番組の最後まで再生されたか否か判別し（ステップＳ９５）、最後まで再生されたと判別したときには、再生終了処理を実行する（ステップＳ９７）。
【０１９０】
また、ステップＳ９５で、最後まで再生されてはいないと判別したときには、システムコントローラ部２０は、ユーザにより再生終了指示操作がなされたか否か判別し（ステップＳ９６）、ユーザにより再生終了指示操作がなされてはいないと判別したときには、ステップＳ９３に戻り、このステップＳ９３以降の処理を繰り返す。また、ステップＳ９６で、ユーザにより再生終了指示操作がなされたと判別したときには、再生終了処理を実行する（ステップＳ９７）。そして、図５のステップＳ１に戻る。
【０１９１】
［第１および第２の実施形態の他の変形例］
［追いかけ再生モード］
第１および第２の実施形態の記録再生装置は、いわゆる追いかけ再生モードを有し、この追いかけ再生モードにおいても、特定シーン区間を上述と同様に、スキップして再生することにより、時短再生することができる。
【０１９２】
すなわち、追いかけ再生モードは、内蔵の記録媒体５を一時バッファメモリとして用いて、受信部２で受信した放送番組を、所定時間分だけ遅れて再生するようにする処理モードである。すなわち、システムコントローラ部２０は、受信部２で受信中の放送番組の所定時間分以上の情報信号分を、内蔵の記録媒体５に常に一時記憶するようにする。そして、システムコントローラ部２０は、その内蔵の記録媒体５から、実際の放送時刻よりも、所定時間だけ前に放送された情報を、読み出して、その再生を常に実行するようにするものである。
【０１９３】
システムコントローラ部２０は、追いかけ再生モードの開始指示を受けると、受信部２で受信した放送番組の情報信号の内蔵記録媒体５への記録（一時記憶）を開始する。この場合には、特徴量検出、特定シーン区間検出および特定シーン区間識別子の生成は、リアルタイムで行なうようにして、付加情報ファイルも放送番組の情報信号の記録と共に記録するようにする。
【０１９４】
そして、所定時間後に、再生開始指示を受けると、追いかけ再生モードの開始指示時点から記録（一時記憶）された情報信号を、内蔵記録媒体５からの読み出し再生を開始する。その後は、内蔵記録媒体５への放送番組の情報信号の記録（書き込み）と、当該内蔵記録媒体５からの一時記憶されている情報信号の再生（読み出し）とを並行して実行する。
【０１９５】
そして、その情報信号の再生（読み出し）の際に、一時記憶されている付加情報ファイルを先読み参照しながら、特定シーン区間をノーマル再生するか、スキップ再生するかを決定しておき、その決定に従って、上述の実施の形態の説明と同様にして、特定シーン区間についてのノーマル速度再生またはスキップ再生を行なう。
【０１９６】
ただし、この追いかけ再生においては、上述した実施形態における特定シーン区間再生態様判定部１７での再生態様の判定方法の第３の例は適用されない。
【０１９７】
［特定シーン区間識別子の生成方法の変形例］
上述の第１の実施形態および第２の実施形態の説明では、特定シーン区間識別子は、特徴量検出部１２での特徴量を用いて、過去に検出した特徴量と同じであるかどうかを判別し、同じであれば同じ特定シーン区間識別子を付与し、異なる場合には、新たな特定シーン区間識別子を付与して、それぞれの特定シーン区間識別子と特徴量とを対応して特徴量記憶部１５に記憶するようにした。これは、特定シーン区間識別子は、例えば識別番号等を、割り当てることを想定したものである。
【０１９８】
しかし、この場合には、特定シーン区間識別子と特徴量とを記録媒体および特徴量記憶部１５に記憶する必要があるため、特徴量記憶部１５の容量が大きなものとなると共に、記録媒体の付加情報ファイルのエリアが大きくなってしまうという問題がある。
【０１９９】
この問題を軽減する方法として、特徴量そのものを用いて特定シーン区間識別子を形成する方法がある。この方法によれば、特定シーン区間識別子としての特徴量を記憶するだけでよくなるので、特徴量記憶部１５の記憶容量が大型化することを軽減することができる。
【０２００】
図１４に、特徴量を用いて特定シーン区間識別子を生成する方法の一例を説明する。図１４においては、説明の簡単のために、ある１０フレームの区間からなるシーンについての特定シーン区間識別子を、２個の特徴評価値（特徴量）を用いて生成する場合として説明する。ここで、特徴評価値１は、例えば人物の有無であり、特徴評価値２は、例えばテロップ文字の有無であるとする。
【０２０１】
そして、図１４（Ａ）に示す１０フレームのシーン区間において、特徴評価値１は、図１４（Ｂ）に示すような変化をし、特徴評価値２は、図１４（Ｃ）に示したような変化をしたとする。
【０２０２】
この例では、特徴評価値１および特徴評価値２は、それぞれ時間方向に差分を求める。すると、特徴評価値１および特徴評価値２の差分結果は、それぞれ図１４（Ｄ）および図１４（Ｅ）に示すようなものとなる。
【０２０３】
特定シーン区間識別子は、この差分結果についてランレングス符号化圧縮をして生成する。すなわち、図１４の例であれば、ハイレベルの値を「Ａ」とし、ローレベルの値を「Ｂ」として、各値の時間軸方向の長さを数値により表わすことで、圧縮することができる。図１４の例の場合には、特徴評価値１は、当該シーンについて、「Ａ１Ｂ４Ａ２Ｂ３」と表わすことができ、また、特徴評価値２は、当該シーンについて、「Ａ１Ｂ１Ａ２Ｂ６」と表わすことができる。特定シーン区間識別子は、これら複数個の特徴評価値のそれぞれの圧縮値により構成する。
【０２０４】
この例によれば、特定シーン区間識別子検出部１４では、それぞれの特徴評価値の圧縮値から元の特徴評価値を復元し、特定シーン区間検出部１３で検出されたシーン区間における、特徴量検出部１２で検出された対応する特徴評価値と比較することで、同じ特定シーン区間識別子を付与することができるシーンであるか否かを判別することができる。
【０２０５】
この例では、特定シーン区間識別子＝シーン区間の特徴量データであるので、特徴量記憶部１５に記憶するデータ容量を少なくすることができると共に、記録媒体の付加情報ファイルのエリアも小さくすることができるものである。
【０２０６】
なお、特徴量データをそのまま用いて、特定シーン区間識別子を生成する方法としては、上述した方法に限らず、種々の方法が採用できる。また、記録容量および記憶容量が大きいものでよい場合には、特徴量データそのものを特定シーン区間識別子として用いることもできる。
【０２０７】
［第３の実施形態］
この第３の実施形態では、上述した第１および第２の実施形態のように記録再生装置で情報信号の特徴量から特定シーン区間を区切って検出するのではなく、放送局側で、放送信号である情報信号に、特定シーン区間の存在位置を示す情報と、各特定シーン区間のそれぞれについて再生時にスキップを許可するか否か示すスキップ可否情報とを、重畳して放送するようにする。
【０２０８】
ここで、特定シーン区間の存在位置を示す情報と、各特定シーン区間のスキップ可否情報との重畳方法としては種々の方法を用いることができ、例えば地上波アナログテレビ放送信号の場合には、特定シーン区間の各フィールドの垂直ブランキング期間に特定シーン区間であることを示す情報と、スキップ可否情報とを重畳する方法が採用でき、また、デジタルテレビ放送の場合には、特定シーン区間のフレーム番号（あるいはフィールド番号）と、各特定シーン区間についてのスキップ可否情報とを、付加情報として重畳する方法が採用できる。
【０２０９】
図１５（Ａ）は、この第３の実施形態における放送信号の一例を説明するための図であり、この例は、地上波アナログテレビ放送の場合の例で、１ビットのスキップ可否フラグ情報ＦＬＧを、スキップ可否情報として、垂直ブランキング期間に重畳して放送するようにする。なお、この例では、スキップ可否フラグ情報ＦＬＧが垂直ブランキング期間に存在するか否かにより、特定シーン区間であるか否かを併せて示すようにしている。
【０２１０】
図１５（Ａ）の例では、番組本編情報１の前には、３個の特定シーン区間、「番組宣伝」、「ＣＭ１」、「ＣＭ２」が挿入され、「番組宣伝」の特定シーン区間は、スキップ可否フラグ情報ＦＬＧがハイレベル（＝「１」）とされて、スキップ禁止とされると共に、「ＣＭ１」、「ＣＭ２」の特定シーン区間は、スキップ可否フラグ情報ＦＬＧがローレベル（＝「０」）とされて、スキップ許可とされている。
【０２１１】
また、番組本編情報１と番組本編情報２との間には、２個の特定シーン区間、「ＣＭ２」、「ＣＭ３」が挿入され、「ＣＭ２」の特定シーン区間は、スキップ可否フラグ情報ＦＬＧがハイレベル（＝「１」）とされて、スキップ禁止とされると共に、「ＣＭ３」の特定シーン区間は、スキップ可否フラグ情報ＦＬＧがローレベル（＝「０」）とされて、スキップ許可とされている。
【０２１２】
さらに、番組本編情報２の後には、２個の特定シーン区間、「ＣＭ１」、「ＣＭ３」が挿入され、「ＣＭ１」および「ＣＭ３」の特定シーン区間は、共に、スキップ可否フラグ情報ＦＬＧがハイレベル（＝「１」）とされて、スキップ禁止とされている。
【０２１３】
この第３の実施形態の記録再生装置は、上述のように、放送番組の情報信号に重畳された特定シーン区間の存在位置を示す情報と、スキップ可否情報とを、放送番組の情報信号から抽出する。
【０２１４】
そして、放送番組の情報信号の記録時には、それらの特定シーン区間の存在位置を示す情報と、スキップ可否情報とを、付加情報ファイルとして、放送番組の情報信号と対応付けて記録媒体５または７に記録する。そして、時短再生時には、特定シーン区間の存在位置を付加情報ファイルの情報から判別すると共に、付加情報ファイルのスキップ可否情報に基づいて、各特定シーン区間をノーマル再生するか、スキップ再生するかの再生態様を決定して再生を実行する。すなわち、スキップ禁止とされている特定シーン区間は常にノーマル速度再生するようにすると共に、スキップ可能とされている特定シーン区間は、本編情報と本編情報との間では少なくとも１個の特定シーン区間をノーマル再生するとという条件を守りつつ、スキップするように決定して再生を実行する。
【０２１５】
［第３の実施形態のハードウエア構成例］
図１６に、第３の実施形態のハードウエア構成例を示す。すなわち、図１６は、上述の実施形態と同様に、第３の実施形態を、放送番組を受信して記録再生する装置に適用した場合のハードウエア構成例であり、この図１６において、前述した第１の実施形態と同一部分には、同一参照番号を付して、その詳細な説明は省略する。
【０２１６】
この図１６の例は、図１５（Ａ）に示したように、特定シーン区間のフィールドにのみ、垂直ブランキング期間においてスキップ可否フラグ情報ＦＬＧが重畳される場合に対応した例である。
【０２１７】
図１６に示すように、この第３の実施形態の記録再生装置においては、前述した第１の実施形態の特徴量検出部１２、特定シーン区間検出部１３および特定シーン区間識別子生成部１４の代わりに、特定シーン区間区間検出部３１と、スキップ可否フラグ判別部３２を設ける。その他は、第１の実施形態と同様の構成を備える。
【０２１８】
そして、特定シーン区間検出部３１は、受信部２で受信した放送番組の映像信号の垂直ブランキング期間に挿入されたスキップ可否フラグ情報ＦＬＧを抽出する。この場合において、特定シーン区間検出部３１は、スキップ可否フラグ情報ＦＬＧが垂直ブランキング期間に挿入されているフィールドは、特定シーン区間の特定情報のフィールドであり、挿入されていないフィールドは、番組本編情報のフィールドであると判別する。
【０２１９】
そして、特定シーン区間検出部３１は、その判別結果として特定シーン区間の位置情報を生成する。前述と同様に、この特定シーン区間の位置情報は、フィールド番号（またはフレーム番号）が用いられる。特定シーン区間検出部３１は、この特定シーン区間の位置情報と共に、抽出したスキップ可否フラグ情報ＦＬＧをスキップ可否フラグ判別部３２に送る。
【０２２０】
スキップ可否フラグ判別部３２は、受け取ったスキップ可否フラグ情報ＦＬＧが、ハイレベルであるか、ローレベルであるかにより、ＦＬＧ＝「１」であるか、ＦＬＧ＝「０」であるかを判別する。そして、スキップ可否フラグ判別部３２は、例えば図１７に示すような、特定シーン区間の位置情報と、スキップ可否フラグ情報ＦＬＧとからなる付加情報ファイルを生成し、生成した付加情報ファイルを記録処理部４に送る。記録処理部４は、システムコントローラ部２０の制御の下、この付加情報ファイルを、記録する情報信号と対応付けて記録媒体５または外部記録媒体７に記録する。
【０２２１】
そして、この第３の実施形態では、時短再生モードにおいては、システムコントローラ部２０は、この付加情報ファイルを付加情報ファイル処理部１６を通じて取得して、特定シーン区間再生態様判定部３３に渡す。特定シーン区間再生態様判定部３３は、この付加情報ファイルの特定シーン区間の位置情報から、再生対象の特定シーン区間を検出すると共に、各特定シーン区間の再生態様をスキップ可否フラグ情報ＦＬＧに基いて決定する。
【０２２２】
この場合に、前述と同様に、特定シーン区間再生態様判定部３３は、少なくとも１つの特定シーン区間は、本編情報と本編情報との間や本編情報の前または後においてノーマル速度再生するようにするという条件を満足しながら、各特定シーン区間の再生態様をスキップ可否フラグ情報ＦＬＧに基いて決定する。
【０２２３】
そして、スキップ可否フラグ情報ＦＬＧによりスキップ許可とされた特定シーン区間が複数存在する場合に、少なくとも１つの特定シーン区間をノーマル速度再生するという条件を満たすようにする場合、いずれをノーマル速度再生するかという選択については、ランダムに選択を行なう方法、再生履歴（再生回数が多いものほど、優先してスキップする）に基いて行なう方法などを採用することができる。
【０２２４】
前述の実施形態と同様に、この第３の実施形態においても、情報信号の再生中に、付加情報ファイルを順次に先読みしながら、特定シーン区間の再生態様を決定してゆく場合と、再生に先立ち、予め、放送番組中の全ての特定シーン区間についての再生態様を決定しておくという再生プランを生成し、その再生プランにしたがって再生を実行する場合のいずれの再生モードも、実行可能である。
【０２２５】
また、第３の実施形態においても、追いかけ再生をする場合に、付加情報ファイルのスキップ可否フラグ情報ＦＬＧを用いて特定シーン区間の再生態様を決定し、その決定に基いて時短再生をするようにすることができる。
【０２２６】
［第４の実施形態］
以上の実施の形態は、テレビ放送番組の記録再生に、この発明を適用した場合であるが、第４の実施形態は、この発明を、テレビ放送番組ではなく、インターネットのホームページの連続的な取得表示を行なう情報提供装置に適用した例である。
【０２２７】
すなわち、ユーザによるＵＲＬ（ＵＮＩＦＯＲＭ  ＲＥＳＯＵＲＣＥ  ＬＯＣＡＴＯＲ）の指示に応じて、あるホームページ１にアクセスした場合、表示画面には、当該ホームページ１の本来の情報である本編情報以外に、ＣＭ情報などの特定情報が、組み込まれて表示されることが多々ある。
【０２２８】
この場合に、当該ＣＭ情報などの特定情報は、それぞれ、ホームページ１の表示処理ルーチン内において指示されるＵＲＬに従って、インターネット上でアクセスすることにより、そのＵＲＬにあるサーバ等から取得するようにする。
【０２２９】
そして、あるホームページ１から、ユーザの指示にしたがって、あるいは、当該ホームページ１での自動アクセス処理にしたがって、他のホームページ２に飛ぶことができる。そして、当該他のホームページ２においても、同様にして、ＣＭ情報などの特定情報を、それぞれ、当該ホームページ２の表示処理ルーチン内において指示されるリンク情報としてのＵＲＬに従って、インターネット上でアクセスすることにより、そのＵＲＬにあるサーバ等から取得して、ホームページ２に組み込んで表示するようにする。以下、同様にして、他のホームページ３以降に飛ぶようにすることもできる。
【０２３０】
このようなインターネット上のアクセスを行なう場合において、この第４の実施形態では、当該ホームページの連続的な取得動作中において、ＣＭ情報などの特定情報を取得したＵＲＬを、その取得履歴として保持しておき、各ホームページにおいては、少なくとも１つのＣＭ情報等の特定情報の表示を残す事を条件に、既に前に見たホームページで表示したＣＭ情報等の特定情報は、後のホームページでは、取得しないこととする。
【０２３１】
図１８の例では、ホームページ１から、ホームページ２、また、ホームページ３へと順次に飛んで、表示するようにした場合である。そして、最初のホームページ１では、ＣＭ１を［ＵＲＬ１］で示されるサーバから取得し、ＣＭ２を［ＵＲＬ２］で示されるサーバから取得し、ＣＭ３を［ＵＲＬ３］で示されるサーバから取得するようにしている。
【０２３２】
そして、ホームページ２においても、同様に、ＣＭ１，ＣＭ２，ＣＭ３を取得するように指示されているものとする。さらに、ホームページ３では、ＣＭ４と、ＣＭ３とを取得するように指示されているものとする。
【０２３３】
このような場合、この第４の実施形態では、ホームページ１で取得したＣＭ１，ＣＭ２，ＣＭ３のＵＲＬ１，ＵＲＬ２，ＵＲＬ３を、特定情報の取得履歴情報として保持しておく。すると、次のホームページ２を表示するとき、この特定情報の取得履歴から、ＣＭ１，ＣＭ２，ＣＭ３は、既に、前のホームページ１で取得して表示したものであることが分かる。
【０２３４】
そこで、この第４の実施形態では、ホームページ２の表示を実行する際に、図１８の例では、少なくとも１つのＣＭ情報等の特定情報の表示を残すという条件を満足するために、ＣＭ１を残して、他の２個のＣＭ２，ＣＭ３の取得のルーチンはスキップして、当該ＣＭ２，ＣＭ３の情報の取得はしないこととする。
【０２３５】
また、ホームページ２からホームページ３の表示に移るときには、ＣＭ４は、初めての取得であるので、その取得は実行すると共に、ＣＭ３は、ホームページ１の表示の際に取得して、取得履歴情報に保持されているので、このＣＭ３の取得のルーチンはスキップして、当該ＣＭ２，ＣＭ３の情報の取得はしないこととする。
【０２３６】
なお、図１８では、取得処理ルーチンをスキップして、ＣＭ情報の取得しないものは、×印をして示し、実際にＣＭ情報を種痘する場合には、○印を付して示した。
【０２３７】
以上の第４の実施の形態を実現するための情報提供装置のハードウエア構成例を図１９に示す。この図１９の例は、パーソナルコンピュータの場合の例であり、ＣＰＵ（Ｃｅｎｔｒａｌ  Ｐｒｏｃｅｓｓｉｎｇ  Ｕｎｉｔ）４１に対して、システムバス４２を介して、プログラムＲＯＭ（Ｒｅａｄ  Ｏｎｌｙ  Ｍｅｍｏｒｙ）４３と、ワークエリア用ＲＡＭ（Ｒａｎｄｏｍ  Ａｃｃｅｓｓ  Ｍｅｍｏｒｙ）４４と、ユーザインターフェース４５と、通信インターフェース４６と、ディスプレイコントローラ４７と、特定情報取得履歴記憶部４８と、特定情報アクセス制御部４９とが接続されて構成されている。
【０２３８】
そして、ユーザインターフェース４５には、マウスやキーボードなどの操作入力部５０が接続されている。通信インターフェース４６は、インターネット５１に接続されている。ディスプレイコントローラ４７は、例えばＬＣＤ（Ｌｉｑｕｉｄ  Ｃｒｙｓｔａｌ  Ｄｉｓｐｌａｙ）などからなるディスプレイ５２に接続されている。
【０２３９】
特定情報アクセス制御部４９は、ＣＰＵ４１が、ＲＯＭ４３のプログラムにしたがって実行するソフトウエアとして構成することもできる。
【０２４０】
図２０は、この第４の実施形態におけるホームページの取得処理ルーチンを説明するためのフローチャートである。このフローチャートの各処理は、ＣＰＵ４１が、ＲＯＭ４３のプログラムにしたがって、ＲＡＭ４４をワークエリアとして用いて実行する。
【０２４１】
この第４の実施形態では、図２０に示すように、ユーザが操作入力部５０を通じてインターネット５１への接続要求操作および所定のホームページの取得要求操作したりすることに基づくホームページの取得要求を検出すると（ステップＳ１０１）、ＣＰＵ４１は、通信インターフェース４６を通じて、インターネットの所定のサーバに接続して、そのサーバから前記ホームページを取得するための操作を実行する（ステップＳ１０２）。
【０２４２】
そして、ＣＰＵ４１は、ホームページを開くための情報を取得して、開く処理を開始する（ステップＳ１０３）。そして、ＣＰＵ４１は、このホームページを開く処理のときに、ＣＭ情報などの特定情報を取得する指示があるか否かを判別し（ステップＳ１０４）、指示があると判別したときには、その特定情報を取得するためのＵＲＬが、特定情報取得履歴記憶部４８に既に記憶されていないかどうか判別する（ステップＳ１０５）。
【０２４３】
ステップＳ１０５で、特定情報取得履歴記憶部４８に当該ＵＲＬが記憶されていないと判別したときには、ＣＰＵ４１は、そのＵＲＬを用いてＣＭ情報等の特定情報の取得を実行して、ホームページに貼り付けて表示する処理を行なう（ステップＳ１０７）と共に、そのＵＲＬを、特定情報取得履歴記憶部４８に取得履歴情報の一つとして書き込み、記憶する（ステップＳ１０８）。
【０２４４】
また、ステップＳ１０５で、特定情報取得履歴記憶部４８に当該ＵＲＬが記憶されていると判別したときには、ＣＰＵ４１は、開く処理をしているホームページに既に他のＣＭ情報等の特定情報が既に貼り付けられているか否か判別し（ステップＳ１０６）、貼り付けられていると判別したときには、当該ＵＲＬを用いた特定情報の取得処理工程はスキップして行なわない（ステップＳ１０９）。
【０２４５】
また、ステップＳ１０６で、開く処理をしているホームページには、他のＣＭ情報等の特定情報が、未だ一つも貼り付けられていないと判別したときには、ＣＰＵ４１は、ステップＳ１０７に進み、そのＵＲＬを用いてＣＭ情報等の特定情報の取得を実行して、ホームページに貼り付けて表示する処理を行なう。そして、ステップＳ１０８で、そのＵＲＬを、特定情報取得履歴記憶部４８に取得履歴情報の一つとして書き込み、記憶する。
【０２４６】
そして、ステップＳ１０８またはステップＳ１０９の次には、ステップＳ１１０に進み、当該ホームページの表示処理が完了したか否か判別し、完了していないと判別したときには、ステップＳ１０３に戻って、このステップＳ１０３以降の処理を繰り返す。
【０２４７】
また、ステップＳ１１０で、当該ホームページの表示処理が完了したと判別したときには、次のホームページの取得要求があるか否か判別し（ステップＳ１１１）、取得要求があれば、ステップＳ１０２に戻って、このステップＳ１０２以降の処理を繰り返す。ステップＳ１１１での取得要求は、ユーザ操作に基づくものであっても良いし、また、前に開かれたホームページからの呼び出しによる自動取得要求であってもよい。
【０２４８】
また、ステップＳ１０４で、ホームページを開く処理をするときに、ＣＭ情報などの特定情報の取得指示を検知してはいないと判別したときには、ＣＰＵ４１は、ステップＳ１１０に飛んで、このステップＳ１１０以降の処理を繰り返す。
【０２４９】
また、ステップＳ１１１で、次のホームページの取得要求が無いと判別したときには、この処理ルーチンを終了する。
【０２５０】
なお、ステップＳ１０１で、ホームページの取得要求はないと判別したときには、指示されたその他の処理を実行する（ステップＳ１１２）。
【０２５１】
なお、ステップＳ１０５で、特定情報取得履歴記憶部４８に既に記憶されていると判別した場合において、ステップＳ１０６で、開く処理をしているホームページには、他のＣＭ情報等の特定情報が、未だ一つも貼り付けられていないと判別したときには、ＣＰＵ４１は、ステップＳ１０７で、当該ＵＲＬを用いてＣＭ情報等の特定情報の取得を実行して、ホームページに貼り付けて表示する処理を行なうと共に、特定情報取得履歴記憶部４８の、そのＵＲＬの取得履歴情報として、取得回数をインクリメントするものである。
【０２５２】
なお、この第４の実施形態の説明においては、特定情報の取得履歴に基いて、各ホームページに残すＣＭ等を選択するようにしたが、上述の実施形態と同様に、各ホームページに残すＣＭ等を、ランダムに選択するようにしてもよい。
【０２５３】
［その他の変形例等］
上述の実施形態の受信部２は、地上アナログテレビ放送の受信部の場合である他、地上デジタルテレビ放送の受信部、衛星デジタルテレビ放送の受信部、ケーブルテレビ放送の受信部、インターネット配信されたテレビ放送の受信部であっても、この発明は適用可能である。
【０２５４】
また、上述の実施形態は、テレビ放送番組の記録再生の場合に、この発明を適用した場合であるが、この発明は、テレビ放送番組の記録再生に限られるわけではなく、例えばラジオ放送番組の記録再生の他、種々の情報信号の記録再生に適用可能である。
【０２５５】
また、特定シーン区間は、上述の実施形態のように、映像情報および音声情報の両方の特徴量から検出する場合のみではなく、映像情報のみの特徴量から、あるいは、音声情報の特徴量のみから検出するようにすることもできる。
【図面の簡単な説明】
【０２５６】
【図１】この発明による記録再生装置の第１の実施形態のハードウエア構成例を示すブロック図である。
【図２】この発明による記録再生装置の実施形態を説明するために用いる図である。
【図３】この発明による記録再生装置の実施形態を説明するために用いる図である。
【図４】この発明による記録再生装置の実施形態を説明するために用いる図である。
【図５】この発明による記録再生装置の第１の実施形態における記録処理動作を説明するためのフローチャートである。
【図６】この発明による記録再生装置の第１の実施形態における記録再生の処理動作を説明するためのフローチャートの一部である。
【図７】この発明による記録再生装置の第１の実施形態における記録再生の処理動作を説明するためのフローチャートの一部である。
【図８】この発明による記録再生装置の第１の実施形態における記録再生の処理動作を説明するためのフローチャートの一部である。
【図９】この発明による記録再生装置の第１の実施形態における記録再生の処理動作を説明するためのフローチャートの一部である。
【図１０】この発明による記録再生装置の第１の実施形態における記録再生の処理動作を説明するためのフローチャートの一部である。
【図１１】この発明による記録再生装置の第２の実施形態のハードウエア構成例を示すブロック図である。
【図１２】この発明による記録再生装置の第２の実施形態における記録再生の処理動作を説明するためのフローチャートの一部である。
【図１３】この発明による記録再生装置の第２の実施形態における他の例の記録再生の処理動作を説明するためのフローチャートの一部である。
【図１４】この発明による記録再生装置の実施形態における特定シーン区間識別子の生成処理の一例を説明するために用いる図である。
【図１５】この発明による記録再生装置の第３の実施形態における記録再生の処理動作を説明するための図である。
【図１６】この発明による記録再生装置の第３の実施形態のハードウエア構成例を示すブロック図である。
【図１７】この発明による記録再生装置の第３の実施形態の要部を説明すために用いる図である。
【図１８】この発明による情報提供装置の実施形態における処理動作を説明するための図である。
【図１９】この発明による情報提供装置の実施形態のハードウエア構成例を示すブロック図である。
【図２０】この発明による情報提供装置の実施形態における処理動作を説明するためのフローチャートである。
【符号の説明】
【０２５７】
２…受信部、３…記録信号エンコード処理部、４…記録処理部、５…内蔵記録媒体、７…外部記録媒体、８…読み出し制御部、９…再生処理部、１０…再生デコード出力部、１２…特徴量検出部、１３…特定シーン区間検出部、１４…特定シーン区間識別子生成部、１５…特徴量記憶部、１６…付加情報ファイル処理部、１７…特定シーン区間再生態様判定部、１８…特定シーン区間視聴履歴保持部、３２…スキップ可否フラグ判別部
【図１】
0004665670.tif 000002
【図２】
0004665670.tif 000003
【図３】
0004665670.tif 000004
【図４】
0004665670.tif 000005
【図５】
0004665670.tif 000006
【図６】
0004665670.tif 000007
【図７】
0004665670.tif 000008
【図８】
0004665670.tif 000009
【図９】
0004665670.tif 000010
【図１０】
0004665670.tif 000011
【図１１】
0004665670.tif 000012
【図１２】
0004665670.tif 000013
【図１３】
0004665670.tif 000014
【図１４】
0004665670.tif 000015
【図１５】
0004665670.tif 000016
【図１６】
0004665670.tif 000017
【図１７】
0004665670.tif 000018
【図１８】
0004665670.tif 000019
【図１９】
0004665670.tif 000020
【図２０】
0004665670.tif 000021